(57)【要約】【課題】食生活の管理を適切に支援することが可能な電子機器を提供する。【解決手段】電子機器は、設定された摂取量の情報を取得する第１取得部（１２２）と、前記摂取量の情報をユーザの状態に基づいて補正する補正部（１２２）と、前記ユーザが実際に摂取した量及び前記ユーザがこれから摂取しようとする量の少なくとも一方の情報を取得する第２取得部（１２２）と、前記補正部が補正した摂取量の情報と前記第２取得部が取得した量の情報とに基づき、情報を報知する制御部（１２２）を備える。【選択図】図１
2017102614.tif 000002
【特許請求の範囲】
【請求項１】
設定された摂取量の情報を取得する第１取得部と、
前記摂取量の情報をユーザの状態に基づいて補正する補正部と、
前記ユーザが実際に摂取した量及び前記ユーザがこれから摂取しようとする量の少なくとも一方の情報を取得する第２取得部と、
前記補正部が補正した摂取量の情報と前記第２取得部が取得した量の情報とに基づき、情報を報知する制御部を備える電子機器。
【請求項２】
前記摂取量は、食べ物の摂取によるエネルギー量であり、前記補正部は、前記ユーザの消費エネルギー量に基づいて前記摂取量の情報を補正する請求項１記載の電子機器。
【請求項３】
前記ユーザの活動に関する情報を取得する活動情報取得部を備え、
前記補正部は、前記活動情報取得部が取得した前記ユーザの活動に基づいて前記摂取量を補正する請求項１または２記載の電子機器。
【請求項４】
前記制御部は、前記ユーザが摂取する食材の購入を促す情報及び前記ユーザが摂取する食材の摂取を促す情報の少なくとも一方を報知する請求項１から３のいずれか一項に記載の電子機器。
【請求項５】
前記制御部は、前記ユーザが摂取する食材を購入できる場所の情報及び前記ユーザが摂取する食材を摂取できる場所の情報の少なくとも一方を報知する請求項１から４のいずれか一項に記載の電子機器。
【請求項６】
前記制御部は、前記ユーザが摂取を控えるべき食材の購入を妨げる情報及び前記ユーザが摂取を控えるべき食材の摂取を妨げる情報の少なくとも一方を報知する請求項１から５のいずれか一項に記載の電子機器。
【請求項７】
時刻を検出する時刻検出部を備え、
前記制御部は、前記時刻検出部が検出した時刻により表示部に表示させる請求項１から６のいずれか一項に記載の電子機器。
【請求項８】
前記ユーザの位置を取得する位置取得部を備え、
前記制御部は、前記位置取得部が取得した位置により表示部に表示させる請求項１から６のいずれか一項に記載の電子機器。
【請求項９】
前記第１取得部は、前記ユーザが所定日数で摂取可能な量を取得する請求項１から８のいずれか一項に記載の電子機器。
【請求項１０】
前記表示部は、前記ユーザの身体に装着可能である請求項７から９のいずれか一項に記載の電子機器。
【請求項１１】
薬を処方されたユーザが装着、または該ユーザの近傍にある検出機器が検出した情報を入力する入力部と、
前記入力部が入力する情報に基づいて前記薬の効果を判断する判断部と、を備える電子機器。
【請求項１２】
前記判断部は前記ユーザに処方された薬を変更するか否かを判断する請求項１１に記載の電子機器。
【請求項１３】
前記判断部は、前記入力部が入力する情報及び前記ユーザに処方された薬の情報の少なくとも一方に基づいて、前記ユーザの食事に関する判断を行う請求項１１または１２に記載の電子機器。
【請求項１４】
前記入力部は、前記検出機器が検出した前記ユーザの音声データを入力する請求項１１から１３のいずれか一項に記載の電子機器。
【請求項１５】
前記入力部は、前記薬の服用前後に前記検出機器が検出した前記ユーザの情報を入力する請求項１１から１４のいずれか一項に記載の電子機器。
【請求項１６】
薬を保存または生産する機関の情報処理装置と通信する第１通信部を備える請求項１１から１５のいずれか一項に記載の電子機器。
【請求項１７】
前記第１通信部は、前記判断部の判断結果を、前記薬を保存または生産する機関の情報処理装置に送信する請求項１６に記載の電子機器。
【請求項１８】
前記ユーザに食材または食事を提供する機関の情報処理装置と通信する第２通信部を備える請求項１１から１７のいずれか一項に記載の電子機器。
【請求項１９】
前記第２通信部は、前記判断部の判断結果を前記食材または食事を提供する機関の情報処理装置に送信する請求項１８に記載の電子機器。
【請求項２０】
前記判断部は、前記ユーザの年代、性別、前記ユーザがいる地域の少なくとも一つに基づいて、前記薬の判断を行う請求項１１から１９のいずれか一項に記載の電子機器。
【請求項２１】
前記判断部は、前記ユーザが過去に服用した薬の効果に基づいて、前記薬の判断を行う請求項１１から２０のいずれか一項に記載の電子機器。
【請求項２２】
前記検出機器は、前記ユーザの動きと、前記ユーザの位置との少なくとも一方を検出し、
前記判断部は、前記ユーザの動きと前記ユーザの位置との少なくとも一方に基づいて前記薬の判断を行う請求項１１から２１のいずれか一項に記載の電子機器。
【発明の詳細な説明】
【技術分野】
【０００１】
本発明は、電子機器に関する。
【背景技術】
【０００２】
ユーザの食生活の管理を支援する電子機器が提案されている（例えば、特許文献１参照）。
【０００３】
従来から、食生活の管理を支援するのが難しいという問題が知られている。
【先行技術文献】
【特許文献】
【０００４】
【特許文献１】特開２０１４−１６７７１６号公報
【発明の概要】
【０００５】
本発明の電子機器は、設定された摂取量の情報を取得する第１取得部（１２２）と、前記摂取量の情報をユーザの状態に基づいて補正する補正部（１２２）と、前記ユーザが実際に摂取した量及び前記ユーザがこれから摂取しようとする量の少なくとも一方の情報を取得する第２取得部（１２２）と、前記補正部が補正した摂取量の情報と前記第２取得部が取得した量の情報とに基づき、情報を報知する制御部（１２２）を備える。
【０００６】
本発明の電子機器は、薬を処方されたユーザが装着、または該ユーザの近傍にある検出機器（３１０、３２０、３３０）が検出した情報を入力する入力部（３４１、３４２）と、前記入力部が入力する情報に基づいて前記薬の効果を判断する判断部（３４１）と、を備えている。
【図面の簡単な説明】
【０００７】
【図１】第１の実施形態に係る電子機器システムの構成を示すブロック図である。
【図２】装着装置の斜視図である。
【図３】図３（ａ）は、摂取カロリー量情報の一例を示す図であり、図３（ｂ）は、消費カロリー量情報の一例を示す図である。
【図４】カロリー量ＤＢのデータ構造の一例を示す図である。
【図５】装着装置の制御部が実行する処理の一例を示すフローチャート（その１）である。
【図６】装着装置の制御部が実行する処理の一例を示すフローチャート（その２）である。
【図７】情報処理装置の制御部が実行する処理の一例を示すフローチャートである。
【図８】図８（ａ）は、注文を促す場合の表示の一例を示す図であり、図８（ｂ）は、注文を妨げる場合の表示の一例を示す図である。
【図９】図９は、購入を妨げる場合の表示の一例を示す図である。
【図１０】第２の実施形態に係るカロリー量ＤＢのデータ構造の一例を示す図である。
【図１１】第２の実施形態に係る装着装置の制御部が実行する処理の一例を示すフローチャート（その１）である。
【図１２】第２の実施形態に係る装着装置の制御部が実行する処理の一例を示すフローチャート（その２）である。
【図１３】第２の実施形態に係る装着装置の制御部が実行する処理の一例を示すフローチャート（その３）である。
【図１４】第２の実施形態に係る情報処理装置の制御部が実行する処理の一例を示すフローチャートである。
【図１５】第２の実施形態に係る情報処理装置の制御部が実行する処理の一例を示すフローチャートである。
【図１６】図１６は第３の実施形態に係る電子機器システムの構成を示す模式図である。
【図１７】図１７は第３の実施形態に係る電子機器システムの構成を示すブロック図である。
【図１８】図１８（ａ）は、第１装着装置の斜視図であり、図１８（ｂ）は、第１装着装置および第２装着装置を装着したユーザを示す図であり、図１８（ｃ）、図１８（ｄ）、図１８（ｅ）は、撮像部が撮像する画像を示す図である。
【図１９】図１９は（ａ）、第２装着装置が実行する処理を示すフローチャートであり、図１９（ｂ）は、温湿度計が実行する処理を示すフローチャートであり、図１９（ｃ）は、第１装着装置が実行するユーザ情報取得処理を示すフローチャートであり、図１９（ｄ）は、第１装着装置が実行するユーザ情報送信処理を示すフローチャートである。
【図２０】図２０は、管理サーバが実行する処理を示すフローチャートである。
【図２１】図２１は、管理サーバが実行する処理を示すフローチャートである。
【図２２】図２２（ａ）は、ユーザ情報データテーブルを示す図であり、図２２（ｂ）は、薬データテーブルを示す図である。
【図２３】図２３は、第４の実施形態に係る電子機器システムの構成を示す模式図である。
【図２４】図２４は、管理サーバが実行する処理を示すフローチャートである。
【図２５】図２５（ａ）は、食事制限データテーブルを示す図であり、図２５（ｂ）は、食事データテーブルを示す図であり、図２５（ｃ）は、撮像部の撮像する画像を示す図である。
【発明を実施するための形態】
【０００８】
《第１の実施形態》
以下、第１の実施形態に係る電子機器システムについて、図１〜図８に基づいて、詳細に説明する。図１には、第１の実施形態に係る電子機器システム５００の構成がブロック図にて示されている。
【０００９】
電子機器システム５００は、図１に示すように、装着装置１０と情報処理装置２０とを備える。装着装置１０と情報処理装置２０とは、ネットワーク３０に接続されている。本実施形態の電子機器システム５００は、装着装置１０を装着するユーザに対して食生活の管理を支援するシステムである。
【００１０】
（装着装置１０）
装着装置１０は、例えばユーザが身体（顔）に装着する眼鏡型の端末である。装着装置１０は、図１に示すように、撮像部１０２、表示部１０４、操作部１０６、マイク１０８、スピーカ１１０、活動検出部１１２、時刻検出部１１４、位置検出部１１６、記憶部１１８、通信部１２０、及び制御部１２２を備える。図２には、装着装置１０が斜視図にて示されている。図２に示すように、装着装置１０は、眼鏡型のフレーム１３０を備える。なお、図１において図示され、図２において図示されていない装着装置１０の構成は、フレーム１３０の内部や、フレーム１３０の一部に設けられているものとする。
【００１１】
撮像部１０２は、レンズ、撮像素子、画像処理部などを備え、静止画や動画などの画像を撮影するものである。撮像部１０２は、図２に示すように、フレーム１３０の端部近傍（例えばユーザの右目近傍）に設けられている。このため、ユーザが装着装置１０を装着した状態では、ユーザが向いている（見ている）方向の画像を撮影することができる。
【００１２】
表示部１０４は、フレーム１３０の内部又はフレーム１３０の近傍に設けられたプロジェクタと、プロジェクタからの投影像をユーザの目に導くためのプリズムと、を有する。表示部１０４は、制御部１２２の指示の下、各種情報を表示する。装着装置１０を装着したユーザは、表示部１０４が投影した情報を視認できると共に、外界像をシースルーで視認できるようになっている。なお、図２に示す表示部１０４は一例であって、大きさやデザインは適宜変更することができる。
【００１３】
操作部１０６は、フレーム１３０に設けられたタッチパッドであり、ユーザの指の動きを検知して、ユーザからの操作を受け付け、受け付けた操作情報を制御部１２２に送信する。即ち、本実施形態において、操作部１０６は、接触式の操作部である。
【００１４】
マイク１０８は、フレーム１３０に設けられ、装着装置１０を装着するユーザが発声した音声などを収集する。マイク１０８が収集した音声は、不図示の音声認識部により音声認識され、音声認識の結果は、制御部１２２に送信される。制御部１２２は、音声認識に基づく処理（例えばコマンドの実行処理など）を実行する。なお、制御部１２２が音声認識を行ってもよい。
【００１５】
スピーカ１１０は、フレーム１３０に設けられ、制御部１２２の指示の下、音声を出力する。スピーカ１１０としては、イヤホンやヘッドホンのほか、指向性があって、主に装着装置１０を装着したユーザの耳に向けて音声を提供することが可能なスピーカなどを採用することができる。
【００１６】
活動検出部１１２は、例えば加速度センサを有しており、装着装置１０を装着するユーザが歩いた歩数を検出し、検出した歩数を制御部１２２に送信する。なお、活動検出部１１２として角速度センサ（ジャイロ）を用いてもよい。
【００１７】
時刻検出部１１４は、例えば時計を内蔵しており、時刻を検出し、検出した時刻を制御部１２２に送信する。
【００１８】
位置検出部１１６は、例えばＧＰＳ（Global Positioning System）センサを有しており、装着装置１０の位置を検出し、位置情報（例えば緯度、経度）を制御部１２２に送信する。なお、位置検出部１１６は、例えば複数のＷｉ−Ｆｉ基地局との通信状態から位置を検出してもよいし、その他の方法により位置を検出してもよい。
【００１９】
記憶部１１８は、例えばフラッシュメモリなどの不揮発性の半導体メモリである。記憶部１１８は、所定日数（例えば１週間）における目標摂取カロリー量や、所定日数の間で摂取及び消費したカロリー量の合計である総摂取カロリー量などの摂取カロリー量情報を記憶する。また、記憶部１１８は、歩数から消費したカロリー量を得るための、歩数と消費カロリー量とを関連付けた情報（消費カロリー量情報）を記憶する。ここで、図３（ａ）及び図３（ｂ）に基づいて、記憶部１１８に記憶された情報（摂取カロリー量情報及び消費カロリー量情報）の一例を説明する。
【００２０】
図３（ａ）は、摂取カロリー量情報の一例を示す図であり、図３（ｂ）は、消費カロリー量情報の一例を示す図である。図３（ａ）に示すように、摂取カロリー量情報として、所定日数（例えば１週間）における目標摂取カロリー量、所定日数の間で摂取及び消費したカロリー量の合計である総摂取カロリー量などの情報が格納される。目標摂取カロリー量は、ユーザの操作部１０６への操作及び／又はマイク１０８への音声入力などによって変更することができる。これに代えて、制御部１２２は、例えば入力されたユーザの年齢や性別から基礎代謝量を求め、この基礎代謝量から目標摂取カロリー量を決めるようにしてもよい。この場合、制御部１２２は、ユーザの要望やユーザの体重に基づき、体重を減少させたい場合には目標摂取カロリー量を減少させるように補正し、体重を増加させたい場合には目標カロリー量を増加させるように補正してもよい。総摂取カロリー量は、ユーザが食事などでカロリーを摂取すると摂取したカロリー量が加算され、運動などによってユーザの通常の活動量に比べてより多くのカロリーが消費されると消費したカロリー量の少なくとも一部が減算されるようにしてもよい。また、総摂取カロリー量は、所定日数を経過すると初期化（消去）されて０ｋｃａｌとすればよい。
【００２１】
図３（ｂ）に示すように、消費カロリー量情報として、歩数と消費カロリー量とを対応付けた情報が格納される。消費カロリー量情報は、歩数と消費カロリー量との関係式の場合でもよいし、テーブルの場合でも良い。これにより、歩数から消費カロリー量を算出することができる。なお、消費カロリー量情報が関係式として記憶されている場合、関係式は、比例の場合に限らず、２次関数など、その他の場合でもよい。これに代えて、もしくはこれと併用してユーザが体重計で測定した体重の情報を用いて、体重が増加傾向か、減少傾向かに応じて消費カロリー量情報を算出したり補正したりしてもよい。
【００２２】
通信部１２０は、他の機器と無線通信（例えば携帯電話回線や無線ＬＡＮ（Local Area Network）などを用いた通信）を行う。通信部１２０が行う通信は、例えばＢｌｕｅｔｏｏｔｈ（登録商標）、ＲＦＩＤ（Radio Frequency Identification）、ＴｒａｎｓｆｅｒＪｅｔ（登録商標）、Ｗｉ−Ｆｉ（登録商標）などである。通信部１２０は、インターネットなどのネットワーク３０に接続し、ネットワーク３０に接続された他の機器（例えば情報処理装置２０）との間で通信を行う。また、通信部１２０は、不図示の体重計の通信部との通信によりユーザの体重情報を入手してもよい。この場合、制御部１２２は、ユーザが体重を計測した時刻や、食事からどのくらい後に体重計測をしたかという情報を付帯情報として記憶部１１８に記憶させてもよい。これは、食事直前と食事直後とでは体重が異なるからであり、制御部１２２は、入力した体重に食事前後に応じた補正を行うようにしてもよい。なお、不図示の体重計の通信部との通信は、通信部１２０とは別の通信部（例えば、近接通信や人体通信）により行うようにしてもよい。
【００２３】
制御部１２２は、ＣＰＵ（Central Processing Unit）、ＲＡＭ（Random Access Memory）、ＲＯＭ（Read Only Memory）などを備える。制御部１２２では、ＣＰＵがＲＯＭなどに格納されているプログラムを実行することにより、装着装置１０全体を制御する。制御部１２２が実行する処理の詳細については後述する。
【００２４】
（情報処理装置２０）
情報処理装置２０は、例えばレストランなどの食事を提供する店舗に設置されたサーバである。情報処理装置２０は、図１に示すように、通信部２０２、記憶部２０４、及び制御部２０６を備える。
【００２５】
通信部２０２は、ネットワーク３０を介して、他の機器（例えば装着装置１０）と無線通信又は有線通信を行う。通信部２０２が行う通信は、装着装置１０の通信部１２０が行う通信として挙げた例と同じである。
【００２６】
記憶部２０４は、例えばフラッシュメモリなどの不揮発性の半導体メモリや、ハードディスクなどである。記憶部２０４は、レストランなどの店舗で使用されるメニュー表に記載された料理のカロリー量の情報を記憶する。ここで、図４に基づいて、記憶部２０４に記憶された情報（カロリー量ＤＢ２２）の一例について説明する。
【００２７】
図４には、カロリー量ＤＢ２２のデータ構造の一例が示されている。図４に示すように、カロリー量ＤＢ２２は、料理名、画像データ、及びカロリー量の各フィールドを有している。料理名のフィールドには、レストランなどの店舗で提供される料理の名称（例えば、グリルドサーモン、ラザニア、サーロインステーキなど）の情報が格納される。画像データのフィールドには、料理の画像のデータファイルが格納される。画像としては、例えばメニュー表に載せる料理の画像を採用することができる。カロリー量のフィールドには、料理のカロリー量の情報が格納される。
【００２８】
制御部２０６は、ＣＰＵ、ＲＡＭ、ＲＯＭなどを備える。制御部２０６は、ＣＰＵがＲＯＭなどに格納されているプログラムを実行することにより、情報処理装置２０全体を制御する。制御部２０６が実行する処理の詳細については後述する。
【００２９】
（連携処理）
次に、第１の実施形態に係る電子機器システム５００において実行される、装着装置１０と情報処理装置２０との連携処理について説明する。図５及び図６は、装着装置１０の制御部１２２が実行する処理の一例を示すフローチャートである。図７は、情報処理装置２０の制御部２０６が実行する処理の一例を示すフローチャートである。なお、前提として、装着装置１０には、装着装置１０を装着するユーザに対して食生活の管理を支援するアプリ（食生活支援アプリ）がインストールされているものとする。また、記憶部１１８には、所定日数としての例えば１週間における目標摂取カロリー量が記憶されており、装着装置１０の制御部１２２は、このカロリー量に基づいて食生活の管理を支援するものとする。
【００３０】
図５の処理では、まず、ステップＳ１０において、制御部１２２は、位置検出部１１６で検出された位置情報と記憶部１１８に記憶されている地図情報とに基づいて、装着装置１０を装着するユーザがレストランなどの食事を提供する店舗に入店するまで待機する。装着装置１０を装着するユーザが店舗に入店した段階で、ステップＳ１２に移行する。ステップＳ１２に移行すると、制御部１２２は、食生活支援アプリを起動する。なお、制御部１２２は、装着装置１０を装着するユーザが店舗に入店したことで食生活支援アプリを起動する場合に限らず、装着装置１０を装着するユーザの操作部１０６への操作などに応じて食生活支援アプリを起動してもよい。
【００３１】
次いで、ステップＳ１４では、制御部１２２は、記憶部１１８に記憶された摂取カロリー量情報（図３（ａ）参照）に基づいて、摂取可能カロリー量を算出する。具体的には、制御部１２２は、目標摂取カロリー量から総摂取カロリー量を減算することで摂取可能カロリー量を算出する。例えば、図３（ａ）の場合において、制御部１２２は、１２０００ｋｃａｌを１週間の残りで摂取可能カロリー量として算出する。
【００３２】
次いで、ステップＳ１６では、制御部１２２は、前回の食事から今回の食事までの間でユーザが消費したカロリー量を算出する。例えば、制御部１２２は、活動検出部１１２で検出された、前回の食事から今回の食事までの間に歩いた歩数と、記憶部１１８に記憶された消費カロリー量情報（図３（ｂ）参照）と、に基づいて、ユーザが消費したカロリー量を算出する。なお、食事間隔のカロリー量を算出するのに代えて、もしくは併用して１日（直近２４時間）の消費カロリー量や、数日の消費カロリー量の平均値などを算出してもよい。
【００３３】
次いで、ステップＳ１８では、制御部１２２は、ステップＳ１４で算出した摂取可能カロリー量に対して、ステップＳ１６で算出した消費カロリー量を加算する補正を行う。例えば、図３（ａ）の場合において、ユーザが消費したカロリー量が５００ｋｃａｌであり通常の消費カロリーよりも１００ｋｃａｌ余分に消費したとすると、制御部１２２は、１２１００ｋｃａｌを補正後の摂取可能カロリー量とする。なお、制御部１２２は、ユーザが体重の増加を望んでいる場合には、ユーザが消費したカロリー以内（５００ｋｃａｌ以内）で摂取可能カロリーを補正すればよい。
【００３４】
次いで、ステップＳ２０では、制御部１２２は、ユーザが消費したカロリー量に基づいて、記憶部１１８に記憶された摂取カロリー量情報（図３（ａ）参照）の総摂取カロリー量を更新する。例えば、図３（ａ）の場合において、ステップＳ１８で補正したカロリー量が１００ｋｃａｌであったとすると、制御部１２２は、総摂取カロリー量を１９００ｋｃａｌに更新する。なお、このステップＳ２０は省略してもよい。
【００３５】
次いで、ステップＳ２２では、制御部１２２は、カレンダー機能（不図示）によって検出された現在の日付、時刻検出部１１４で検出された現在の時刻、及びステップＳ１８で補正した摂取可能カロリー量に基づいて、今回の食事で摂取が許容される摂取許容カロリー量を算出する。例えば、制御部１２２は、日付と時刻から、カロリー量を管理する１週間における残りの食事回数を算出し、摂取可能カロリー量を残りの食事回数で除算することで、摂取許容カロリー量を算出する。
【００３６】
ステップＳ２２の後は、図６のステップＳ２４に移行する。ステップＳ２４に移行すると、制御部１２２は、ユーザによる操作部１０６の操作やマイク１０８への音声入力などに応じて、メニュー表に載っている料理の写真が、撮像部１０２を用いて撮影されたか否かを判断する。なお、この際に、制御部１２２は、“料理を撮影して下さい”とのコメントを、表示部１０４に表示させたり、スピーカ１１０から音声出力したりして、ユーザに料理の写真を撮影するよう促してもよい。これに代えて、メニュー表に載っているカロリー表示を撮影してもよい。
【００３７】
料理の写真が撮影された場合、ステップＳ２４の判断は肯定されて、ステップＳ２６に移行し、制御部１２２は、撮影された料理の画像を情報処理装置２０の通信部２０２に送信する。一方、料理の写真が撮影されていない場合、ステップＳ２４の判断は否定されて、ステップＳ３６に移行する。
【００３８】
一方、情報処理装置２０の制御部２０６は、図７の処理を開始した後、ステップＳ４０において、装着装置１０から料理の画像を受信するまで待機している。したがって、装着装置１０において図６のステップＳ２６の処理が行われた段階で、制御部２０６は、ステップＳ４２に移行する。ステップＳ４２では、制御部２０６は、記憶部２０４に記憶されているカロリー量ＤＢ２２（図４参照）の画像データと受信した料理の画像とを比較し、受信した料理の画像に対応する料理名を特定する。
【００３９】
次いで、ステップＳ４４では、制御部２０６は、カロリー量ＤＢ２２を参照して、特定した料理名のカロリー量を取得する。次いで、ステップＳ４６では、制御部２０６は、取得したカロリー量を装着装置１０の通信部１２０に送信する。
【００４０】
図６に戻り、ステップＳ２８では、制御部１２２は、情報処理装置２０から料理のカロリー量を受信するまで待機する。なお、制御部１２２は、ステップＳ２６の処理から所定時間（タイムアウトを示す時間であり、例えば５秒）が経過するまでに、情報処理装置２０から料理のカロリー量を受信できない場合には、受信できない旨を表示部１０４に表示させたり、スピーカ１１０から音声出力させたりして、図５及び図６の処理を強制的に終了してもよい。
【００４１】
制御部１２２は、情報処理装置２０から料理のカロリー量を受信した段階で、ステップＳ３０に移行する。ステップＳ３０に移行すると、制御部１２２は、ステップＳ２８で受信した料理のカロリー量が、ステップＳ２２で算出した摂取許容カロリー量以下か否かを判断する。料理のカロリー量が摂取許容カロリー量以下の場合、ステップＳ３０の判断は肯定されて、ステップＳ３２に移行し、制御部１２２は、料理の注文を促す表示を表示部１０４に表示する。一方、料理のカロリー量が摂取許容カロリー量より高い場合、ステップＳ３０の判断は否定されて、ステップＳ３４に移行し、制御部１２２は、料理の注文を妨げる表示を表示部１０４に表示する。
【００４２】
図８（ａ）は、注文を促す表示が表示部１０４に表示された場合の一例を示す図であり、図８（ｂ）は、注文を妨げる表示が表示部１０４に表示された場合の一例を示す図である。図８（ａ）に示すように、例えばグリルドサーモンのように、料理のカロリー量が摂取許容カロリー量以下の場合には、表示部１０４に○が表示されて、装着装置１０を装着するユーザは、シースルーで料理の写真を視認できると共に、当該写真に重畳して○の表示を視認することができる。なお、図８（ａ）に示すように、制御部１２２は、料理のカロリー量や、当該料理を摂取した場合における１週間（所定期間）の総摂取カロリー量及び残りの摂取可能カロリー量を表示部１０４に表示してもよい。
【００４３】
一方、図８（ｂ）に示すように、例えばサーロインステーキのように、料理のカロリー量が摂取許容カロリー量より高い場合には、表示部１０４に×が表示されて、装着装置１０を装着するユーザは、シースルーで料理の写真を視認できると共に、当該写真に重畳して×の表示を視認することができる。なお、図８（ｂ）に示すように、制御部１２２は、料理のカロリー量や、当該料理を摂取した場合における１週間（所定期間）の総摂取カロリー量及び残りの摂取可能カロリー量に加えて、当該料理を摂取した場合に摂取許容カロリー量を超えた分のカロリー量を消費するための運動の例（例えば３０分間のウォーキングなど）を表示してもよい。
【００４４】
ステップＳ３２又はＳ３４の後は、ステップＳ３６に移行し、制御部１２２は、装着装置１０を装着するユーザが料理を注文したか否かを判断する。この場合、制御部１２２は、装着装置１０を装着するユーザの操作部１０６への操作及び／又はマイク１０８への音声入力に基づいて、料理を注文したか否かを判断することができる。
【００４５】
料理が注文されていない場合、ステップＳ３６の判断は否定されて、ステップＳ２４に戻る。一方、料理が注文された場合は、ステップＳ３６の判断は肯定されて、ステップＳ３８に移行する。ステップＳ３８に移行すると、制御部１２２は、注文した料理のカロリー量に基づいて、記憶部１１８に記憶された摂取カロリー量情報（図３（ａ）参照）の総摂取カロリー量を更新する。なお、制御部１２２は、ステップＳ２４において料理の写真が撮影された場合（ステップＳ２４：Ｙｅｓ）には、ステップＳ２８で受信したカロリー量を注文した料理のカロリー量とすることができる。ステップＳ２４において料理の写真が撮影されていない場合（ステップＳ２４：Ｎｏ）には、制御部１２２は、注文して運ばれてきた料理の画像を撮影して情報処理装置２０に送信することで情報処理装置２０から受信したカロリー量を注文した料理のカロリー量とすることができる。
【００４６】
以上詳細に説明したように、本第１の実施形態によれば、装着装置１０の制御部１２２は、ユーザが摂取可能なカロリー量を取得し（Ｓ１４）、この摂取可能カロリー量をユーザが消費したカロリー量に基づいて補正する（Ｓ１８）。そして、制御部１２２は、補正した摂取可能カロリー量とユーザが摂取しようとするカロリー量とに基づいて、表示部１０４に表示を行わせる（Ｓ３２、Ｓ３４）。これにより、ユーザの状態に応じた摂取可能カロリー量を用いて食生活の管理を支援できるため、食生活の管理の適切な支援ができる。
【００４７】
また、本第１の実施形態では、制御部１２２は、摂取しようとする料理のカロリー量が摂取許容カロリー量以下の場合には、当該料理の注文（購入）を促す表示を表示部１０４に表示させている。これにより、ユーザは、当該料理を注文してもよいことが認識できる。
【００４８】
また、本第１の実施形態では、制御部１２２は、摂取しようとする料理のカロリー量が摂取許容カロリー量よりも高い場合には、当該料理の注文（購入）を妨げる表示を表示部１０４に表示させている。これにより、ユーザは、当該料理を注文することは好ましくないことが認識できる。
【００４９】
また、本第１の実施形態では、制御部１２２は、時刻検出部１１４が検出した時刻に応じて算出した摂取許容カロリー量に基づいて、料理の注文を促す表示又は妨げる表示を表示部１０４に表示させている。これにより、食事毎における食生活の管理支援の質を向上させることができる。
【００５０】
また、本第１の実施形態では、制御部１２２は、位置検出部１１６が検出した位置情報に応じて食生活支援アプリを起動して、料理の注文を促す表示又は妨げる表示を表示部１０４に表示させている。これにより、適切な場所において食生活の管理を支援することができる。
【００５１】
また、本第１の実施形態では、制御部１２２は、表示部１０４に摂取を促す表示又は摂取を妨げる表示をすることで、メニュー表の料理の写真に当該表示を重畳させているので、ユーザが表示部１０４に表示された内容を見落とすことを抑制できる。
【００５２】
なお、上記第１の実施形態では、１週間（所定日数）における目標摂取カロリー量に基づいて食生活の管理を支援しているが、食事の回数に応じた目標摂取カロリー量（例えば３回の食事での目標摂取カロリー量は２０００ｋｃａｌなど）に基づいて食生活の管理を支援してもよい。
【００５３】
なお、上記第１の実施形態において、活動検出部１１２は、加速度センサの他に、高度センサや気圧センサ、温度センサなどを含んでいてもよい。そして、制御部１２２は、これらのセンサの検出結果を加味して消費カロリー量を算出するようにしてもよい。例えば、制御部１２２は、高度センサや気圧センサに基づいてユーザが歩いた場所の高低差を検出し、この結果を加味して、消費カロリー量を算出してもよいし、温度センサに基づいてユーザが歩いた場所の温度を検出し、この結果を加味して、消費カロリー量を算出してもよい。また、前述したように、制御部１２２は、ユーザの基礎代謝量を加味して消費カロリー量を算出するようにしてもよい。
【００５４】
なお、上記第１の実施形態では、制御部１２２は、活動検出部１１２で検出されたユーザの活動に基づいて、ユーザの摂取可能なカロリー量を補正しているが、その他の方法で検出されたユーザの状態に基づいて、ユーザの摂取可能なカロリー量を補正してもよい。
【００５５】
なお、上記第１の実施形態において、制御部１２２は、料理の写真の撮影画像を情報処理装置２０に送信して、当該料理のカロリー量を受信しているが、料理の情報を含むバーコードやＱＲコード（登録商標）などを撮影することで、当該料理のカロリー量を取得してもよい。
【００５６】
なお、上記第１の実施形態において、制御部１２２は、図６のステップＳ３６における料理を注文したか否かの判断を、撮像部１０２によって、メニュー表が閉じられた画像が撮影されたことや、注文して運ばれてきた料理が撮影されたことなどに基づいて判断してもよい。なお、撮影された料理の画像が、注文して運ばれてきた料理の画像なのか、メニュー表の料理の写真の画像なのかは、撮影画像における料理の周囲の画像などから判断することができる。
【００５７】
なお、上記第１の実施形態において、記憶部１１８に、朝食、昼食、夕食の各食事において摂取できるカロリー量の上限値が記憶されていてもよい。そして、制御部１２２は、図５のステップＳ２２において算出されたカロリー量が、記憶部１１８に記憶された各食事におけるカロリー量の上限値よりも高い場合には、当該カロリー量の上限値を摂取許容カロリー量としてもよい。例えば、記憶部１１８に、朝食、昼食、夕食の各食事において摂取してもよいカロリー量の上限値が、朝：５００ｋｃａｌ、昼：８００ｋｃａｌ、夜：７００ｋｃａｌと記憶されているとする。この場合に、図５のステップＳ２２において算出されたカロリー量が９００ｋｃａｌであり且つ昼食と判断された場合には、上限値である８００ｋｃａｌを摂取許容カロリー量としてもよい。
【００５８】
なお、上記第１の実施形態において、制御部１２２は、表示部１０４に表示する注文を妨げる表示としてモザイクなどを表示し、摂取が好ましくない料理の写真をユーザが見れなくなるようにしてもよい。
【００５９】
なお、上記第１の実施形態において、制御部１２２は、注文を妨げる表示をする場合に、当該店舗において摂取許容カロリー量以下のカロリー量の料理を情報処理装置２０から取得して、当該料理名を表示部１０４に表示させてもよい。この際、注文を妨げた料理と同系統の料理（例えば肉料理など）から優先して表示部１０４に表示させるようにしてもよい。
【００６０】
なお、上記第１の実施形態では、制御部１２２は、ユーザが摂取可能なカロリー量をユーザが消費したカロリー量で補正する場合を例に示したが、これに限られない。制御部１２２は、コレステロール量や塩分量、糖分量などの管理することが好ましい指標に関して、ユーザが摂取可能な量をユーザの状態に基づいて補正し、補正した摂取可能な量とユーザが摂取しようとする量とに基づいて表示部１０４に表示する場合でもよい。また、これらの指標の２以上に関して、ユーザが摂取可能な量をユーザの状態に基づいて補正してもよい。
【００６１】
なお、上記第１の実施形態では、情報処理装置２０が、レストランなどの食事を提供する店舗に設置されている場合を例に示したが、弁当などを販売するスーパーなどの店舗に設置されていてもよい。この場合、例えば、制御部１２２は、ユーザが購入しようとする弁当のカロリー量が摂取許容カロリー量以下の場合には購入を促す表示（例えば○の表示）をし、摂取許容カロリー量より高い場合には購入を妨げる表示（例えば×の表示）をする。図９は、購入を妨げる表示が表示部１０４に表示された場合の一例を示す図である。図９に示すように、購入を妨げる表示が表示部１０４に表示される場合には、装着装置１０を装着するユーザは、シースルーで陳列された弁当を視認できると共に、当該弁当に重畳して×の表示を視認することができる。この際に、制御部１２２は、記憶部１１８に記憶されたデータベースなどを参照して、図９に示すように、摂取許容カロリー量以下の弁当を購入できる店舗を表示したり、摂取許容カロリー量以下の料理を摂取できる店舗を表示したりしてもよい。これにより、ユーザは、摂取許容カロリー量以下の弁当や料理をどこで得られるかの情報を取得できる。
【００６２】
《第２の実施形態》
次に、第２の実施形態に係る電子機器システムについて、図１０〜図１５に基づいて、詳細に説明する。第２の実施形態に係る電子機器システムの構成は、第１の実施形態に係る電子機器システムの構成と同一又は同等であるため図示を省略する。なお、第１の実施形態では、情報処理装置２０がレストランなどの食事を提供する店舗に設置されたサーバであったが、本第２の実施形態では、情報処理装置２０は家庭などに設置されたサーバである。情報処理装置２０の記憶部２０４には、図４に示したカロリー量ＤＢ２２の代わりに、図１０に示すカロリー量ＤＢ２４が記憶されている。
【００６３】
図１０には、カロリー量ＤＢ２４のデータ構造の一例が示されている。図１０に示すように、カロリー量ＤＢ２４は、食材とカロリー量のフィールドを有している。食材のフィールドには、料理に使用される食材（豚挽き肉や、豆腐、長ネギ、サラダ油、砂糖など）の情報が格納される。カロリー量のフィールドには、各食材のカロリー量（図１０では１００グラムあたりのカロリー量を表示）の情報が格納される。
【００６４】
（連携処理）
次に、第２の実施形態に係る電子機器システムにおいて実行される、装着装置１０と情報処理装置２０との連携処理について説明する。図１１から図１３は、装着装置１０の制御部１２２が実行する処理の一例を示すフローチャートである。図１４及び図１５は、情報処理装置２０の制御部２０６が実行する処理の一例を示すフローチャートである。なお、第２の実施形態においても、第１の実施形態と同様に、装着装置１０には食生活支援アプリがインストールされていて、記憶部１１８に記憶された１週間における目標摂取カロリー量に基づいて食生活の管理を支援するものとする。
【００６５】
図１１の処理では、まず、ステップＳ５０において、制御部１２２は、食生活支援アプリがユーザによって起動されるまで待機する。この場合、ユーザの操作などに応じて制御部１２２が食生活支援アプリを起動した段階で、ステップＳ５２に移行する。なお、制御部１２２は、ユーザによる操作部１０６への入力、又はマイク１０８への所定の音声の入力に応じて、食生活支援アプリを起動させるものとする。
【００６６】
ステップＳ５２〜ステップＳ６０では、第１の実施形態の図５のステップＳ１４〜ステップＳ２２と同様の処理を行う。ステップＳ６０の後は、図１２のステップＳ６２に移行する。
【００６７】
ステップＳ６２では、制御部１２２は、撮像部１０２を用いて、食卓などに置かれた料理の撮影を開始する。この場合において、制御部１２２は、ユーザによる操作部１０６の操作やマイク１０８への音声入力などに応じて撮影を開始してもよいし、食生活支援アプリが起動された段階で撮影を開始してもよい。
【００６８】
次いで、ステップＳ６４では、制御部１２２は、ユーザによる操作部１０６の操作やマイク１０８への音声入力などに応じて、表示部１０４に料理の摂取に関する表示をするか又は既に表示されている摂取に関する表示を変更するか否かを判断する。摂取に関する表示をする又は表示を変更する場合は、ステップＳ６４での判断が肯定されて、ステップＳ６６に移行し、制御部１２２は、撮影された料理の画像を、食事前の画像であることの情報を付けて、情報処理装置２０の通信部２０２に送信する。一方、摂取に関する表示をしない又は表示を変更しない場合は、ステップＳ６４での判断が否定されて、ステップＳ７６に移行する。
【００６９】
一方、情報処理装置２０の制御部２０６は、図１４の処理を開始した後、ステップＳ９０において、装着装置１０から食事前の画像であることの情報が付けられた料理の画像を受信するまで待機している。したがって、装着装置１０において図１２のステップＳ６６の処理が行われた段階で、制御部２０６は、ステップＳ９２に移行する。ステップＳ９２では、制御部２０６は、受信した画像を解析して、料理に含まれる各食材と、各食材の量（質量）と、を推定する。各食材と各食材の量（質量）との推定は、例えば特開２０１４−１６７７１６号公報で記載されているような方法を用いることができる。例えば、制御部２０６は、画像解析によって得られた食材の色や形の特徴と記憶部２０４に記憶されている食材判別用のデータとを用いて各食材を推定することができる。また、制御部２０６は、画像解析により各食材の量を推定することができる。なお、制御部２０６は、画像解析による食材の推定と、匂いセンサ（不図示）により検知された匂いデータを用いた食材の推定と、を併用してもよい。匂いセンサは、例えば金属酸化物半導体やカーボンナノチューブを用いたガスセンサなどである。
【００７０】
次いで、ステップＳ９４では、制御部２０６は、図１０に示すようなカロリー量ＤＢ２４を参照して、推定した食材と量から、料理のカロリー量を算出する。次いで、ステップＳ９６では、制御部２０６は、算出した料理のカロリー量を記憶部２０４に記憶すると共に、装着装置１０の通信部１２０に送信する。
【００７１】
図１２に戻り、ステップＳ６８では、制御部１２２は、情報処理装置２０から料理のカロリー量を受信するまで待機し、受信した段階で、ステップＳ７０に移行する。ステップＳ７０に移行すると、制御部１２２は、料理のカロリー量が摂取許容カロリー量以下か否かを判断し、摂取許容カロリー量以下の場合にはステップＳ７２に移行して、料理の摂取を促す表示を表示部１０４に表示する（図８（ａ）参照）。一方、料理のカロリー量が摂取許容カロリー量より大きい場合はステップＳ７４に移行し、制御部１２２は、料理の摂取を妨げる表示を表示部１０４に表示する（図８（ｂ）参照）。
【００７２】
ステップＳ７２又はＳ７４の後は、ステップＳ７６に移行し、制御部１２２は、ユーザが料理の摂取を開始（食事を開始）したか否かを判断する。この場合、制御部１２２は、装着装置１０を装着するユーザの操作部１０６への操作及び／又はマイク１０８への音声入力に基づいて、料理の摂取を開始したか否かを判断することができる。また、制御部１２２は、撮像部１０２が撮影した画像に基づいて、料理の摂取を開始したか否かを判断してもよい。例えば、制御部１２２は、ユーザが料理を食べる画像が撮影された場合に、料理の摂取を開始したと判断してもよい。これに代えて、制御部１２２は、国際公開第２０１４／０９７６７１号に開示されている食器用器具を用いて料理の摂取を開始したと判断してもよい。この場合、制御部１２２は、通信部１２０と食器用器具の通信部との通信結果に基づき上述の判断をすればよい。なお、食器用器具の通信部との通信は、通信部１２０とは別の通信部（例えば、近接通信や人体通信）により行うようにしてもよい。
【００７３】
料理の摂取が開始された場合は、ステップＳ７６の判断は肯定されて、図１３のステップＳ７８に移行する。一方、料理の摂取が開始されていない場合は、ステップＳ７６の判断は否定されて、ステップＳ６２に戻る。なお、ユーザが食事を取ることを断念することもあり得るため、制御部１２２は、ユーザの操作部１０６の操作及び／又はマイク１０８への音声入力によって食事を取らないことが入力された場合には、図１１から図１３の処理を強制的に終了するようにしてもよい。
【００７４】
ステップＳ７８では、制御部１２２は、ユーザによる料理の摂取が終了（食事が終了）するまで待機する。この場合、制御部１２２は、ユーザの操作部１０６への操作及び／又はマイク１０８への音声入力に基づいて、料理の摂取が終了したか否かを判断することができる。
【００７５】
料理の摂取が終了した段階で、ステップＳ８０に移行し、制御部１２２は、食事後の料理を撮影し、当該撮影画像を食事後の画像であることの情報を付けて情報処理装置２０の通信部２０２に送信する。
【００７６】
一方、情報処理装置２０の制御部２０６は、図１５の処理を開始した後、ステップＳ１００において、装着装置１０から食事後の画像であることの情報が付けられた料理の画像を受信するまで待機している。したがって、装着装置１０において図１３のステップＳ８０の処理が行われた段階で、制御部２０６は、ステップＳ１０２に移行する。ステップＳ１０２では、制御部２０６は、受信した画像を解析して、食材と食材の量（質量）を推定する。
【００７７】
次いで、ステップＳ１０４では、制御部２０６は、カロリー量ＤＢ２４を参照して、推定した食材と量からカロリー量を算出する。次いで、ステップＳ１０６では、制御部２０６は、記憶部２０４に記憶しておいた食事前の料理のカロリー量からステップＳ１０４で算出したカロリー量を減算して、摂取カロリー量を算出する。次いで、ステップＳ１０８では、算出した摂取カロリー量を装着装置１０の通信部１２０に送信する。
【００７８】
なお、図１２のステップＳ６４の判断が否定されて摂取に関する表示をしない状態で、料理の摂取を開始する場合もある。この場合、記憶部２０４には食事前の料理のカロリー量が記憶されていない。したがって、このような場合には、装着装置１０の制御部１２２は、図１３のステップＳ８０において、食事後の料理の画像と共に、ステップＳ６２で撮影され、記憶部１１８に記憶された食事前の料理の画像を情報処理装置２０に送信する。これにより、情報処理装置２０の制御部２０６は、摂取カロリー量を算出することができる。
【００７９】
図１３に戻り、ステップＳ８２では、制御部１２２は、情報処理装置２０から摂取カロリー量を受信するまで待機し、受信した段階で、ステップＳ８４に移行する。ステップＳ８４に移行すると、制御部１２２は、摂取カロリー量に基づいて、記憶部１１８に記憶された摂取カロリー量情報（図３（ａ）参照）の総摂取カロリー量を更新する。次いで、ステップＳ８６では、制御部１２２は、ユーザが摂取した摂取カロリー量や、１週間（所定期間）における残りの摂取可能カロリー量などを表示部１０４に表示させる。
【００８０】
以上詳細に説明したように、本第２の実施形態によれば、装着装置１０の制御部１２２は、ユーザが実際に摂取したカロリー量を取得し（Ｓ８２）、補正した摂取可能カロリー量とユーザが実際に摂取したカロリー量とに基づいて、表示部１０４に表示させる（Ｓ８６）。これにより、ユーザは実際に摂取したカロリー量が考慮された表示（例えば、残りの摂取可能カロリー量など）を見ることができ、食生活に関するユーザの意識を向上させることができる。
【００８１】
また、本第２の実施形態では、制御部１２２は、摂取しようとする料理のカロリー量が、摂取許容カロリー量以下の場合には料理の摂取を促す表示をし（Ｓ７２）、摂取許容カロリー量よりも大きい場合には料理の摂取を妨げる表示をする（Ｓ７４）。これにより、ユーザは、当該料理を摂取してもよいこと又は摂取することは好ましくないことが容易に認識できる。
【００８２】
なお、上記第２の実施形態において、情報処理装置２０の制御部２０６は、装着装置１０から送信された料理の撮影画像の解析することで料理の調理方法を推定し、この調理方法を加味して、料理のカロリー量を算出してもよい。
【００８３】
なお、上記第１、第２の実施形態において、装着装置１０の制御部１２２は、残りの摂取可能カロリー量に基づいて、残り日数で当該カロリー量を達成するための食事の情報や運動の情報などを表示部１０４に表示させてもよい。
【００８４】
なお、上記第１、第２の実施形態において、装着装置１０の制御部１２２は、ユーザによる操作部１０６の操作及び／又はマイク１０８への音声入力に応じて、記憶部１１８に記憶された摂取カロリー量情報（図３（ａ）参照）の総摂取カロリー量を変更してもよい。これにより、例えばユーザが間食をした場合などにおいて摂取したカロリー量を総摂取カロリー量に反映させることができる。
【００８５】
なお、上記第１、第２の実施形態において、図５、６のフローチャート及び図１１から１３のフローチャートは、ユーザが装着する装着装置１０の制御部１２２が実行する場合を例に示したが、この場合に限られない。ユーザが携帯するスマートフォンなどの携帯装置（携帯電話）の制御部が実行する場合でもよいし、サーバなどの情報処理装置の制御部が実行する場合でもよい。この場合、携帯装置のカメラで撮影し、摂取するまたは摂取しようとしている食事のカロリーを計算することとしてもよい。
【００８６】
なお、上記第１、第２の実施形態において、情報処理装置２０は、レストランなどの店舗や家庭に設置されている場合に限られず、装着装置１０がアクセス可能であれば、その他の場所に設置されている場合でもよい。
【００８７】
なお、上記第１、第２の実施形態において、複数のユーザの摂取カロリー量情報と生活情報（例えば食事時間、就寝時間、起床時間など）とを関連付けたデータが、ビックデータとしてサーバなどの情報処理装置に記憶されてもよい。これにより、どのような生活を送っているユーザが病気（例えば糖尿病など）を発症し易いかの情報を得ることができる。
【００８８】
なお、上記第１の実施形態では、ユーザがレストランなどで食事をする場合を例に説明し、上記第２の実施形態では、ユーザが家庭で食事をする場合を例に示したが、上記第１の実施形態と上記第２の実施形態とを適宜組み合わせて、ユーザの一日における総摂取カロリー量を取得するようにしてもよい。また、ユーザがレストランなどの家以外の場所で食事をする場合でも、第２の実施形態で説明した方法を適用してもよい。
【００８９】
上述の第１、２の実施形態において、装着装置１０で歩数を計数して消費カロリーを求めたが、消費カロリーの算出の仕方はこれらに限られない。たとえば、ユーザが装着した腕時計型端末、ペンダント型端末などの装置で消費カロリーを算出して、装着装置１０や携帯装置に送信して第１、２の実施形態の制御を行うこととしてもよい。また、装着装置１０や携帯装置に情報を送信せずに、腕時計型端末、ペンダント型端末で消費カロリーの算出および第１、２の実施形態の制御を行うこととしてもよい。さらに、ユーザが装着した腕時計型端末、ペンダント型端末などの装置から受信した情報をもとに、装着装置１０や携帯装置で消費カロリーを算出し、第１、２の実施形態の制御を行うこととしてもよい。
【００９０】
上記の第１、２の実施形態で説明した注文を促す場合の表示、注文を妨げる場合の表示、購入を妨げる場合の表示などの表示に変えて音声などにより報知する構成としてもよい。さらに、携帯装置、腕時計型端末、ペンダント型端末などの他の装置へ情報を送信し、表示あるいは音声による報知を行うこととしてもよい。
【００９１】
《第３の実施形態》
以下、第３の実施形態に係る電子機器システムについて、図１６〜図２２に基づいて、詳細に説明する。図１６は、第３の実施形態に係る電子機器システム４００の構成を模式的に示す図である。
【００９２】
電子機器システム４００は、図１６に示すように、ユーザ用システム３９０と、管理サーバ３４０と、薬局サーバ３５０と、病院サーバ３６０と、を備える。ユーザ用システム３９０は、第１装着装置３１０と、第２装着装置３２０と、温湿度計３３０と、を含む。第１装着装置３１０と管理サーバ３４０とはインターネットなどのネットワーク３０１に接続されている。また、管理サーバ３４０、薬局サーバ３５０および病院サーバ３６０はインターネットなどのネットワーク３０２に接続されている。ただし、これに限らず、第１装着装置３１０、管理サーバ３４０、薬局サーバ３５０および病院サーバ３６０が同一のネットワークに接続されていてもよい。
【００９３】
なお、本実施形態では、ユーザは、通信販売業者との間で、通信販売業者がユーザの身体の状態の情報、周囲の環境の情報などを収集し、活用することに承諾する契約を結んでいるものとする。また、薬局は、通信販売業者との間で、通信販売業者からの指示に応じてユーザに対して薬を配送する契約を結んでいるものとする。
【００９４】
以下、図１７のブロック図、及び図１８に基づいて、第１装着装置３１０、第２装着装置３２０、温湿度計３３０、管理サーバ３４０、薬局サーバ３５０および病院サーバ３６０について説明する。
【００９５】
（第１装着装置３１０）
第１装着装置３１０は、図１８（ａ）および図１８（ｂ）に示すように、ユーザが身体（顔）に装着する眼鏡型の端末である。第１装着装置３１０は、眼鏡型のフレーム４１０を備えている。なお、図１７において図示され、図１８（ａ）において図示されていない第１装着装置３１０の構成は、フレーム４１０の内部や、フレーム４１０の一部に設けられているものとする。
【００９６】
第１装着装置３１０は、図１７に示すように、操作部３０８、加速度センサ３０９、撮像部３１２、表示部３１３、記憶部３１４、第１通信部３１５、第２通信部３１６、位置検出部３１７、マイク３１８、スピーカ３１９、および制御部３１１等を備える。
【００９７】
操作部３０８は、フレーム４１０に設けられた接触式の操作部（タッチパッド）であり、ユーザの指の動きを検知して、ユーザからの操作を受け付け、受け付けた操作情報を制御部３１１に送信する。
【００９８】
加速度センサ３０９は、例えばＭＥＭＳ（Micro Electro Mechanical Systems）を用いたセンサであり、第１装着装置３１０の加速度を検出する。
【００９９】
撮像部３１２は、レンズ、撮像素子、画像処理部などを備え、静止画や動画を撮像するものである。撮像部３１２はフレーム４１０の端部近傍（ユーザの右目近傍）に設けられている。このため、ユーザが第１装着装置３１０を装着した状態では、ユーザが向いている（見ている）方向の画像を撮像することができる。
【０１００】
表示部３１３は、フレーム４１０内部又はフレーム４１０近傍に設けられたプロジェクタと、プロジェクタからの投影像をユーザの目に導くためのプリズムとを有している。表示部３１３は、制御部３１１の指示の下、各種情報を表示する。なお、図１８（ａ）に示す表示部３１３は一例であって、大きさやデザインは適宜変更することができる。
【０１０１】
なお、撮像部３１２、表示部３１３、操作部３０８については、例えば、米国公開特許２０１３／００４４０４２号にもその詳細が開示されている。
【０１０２】
記憶部３１４は、例えば、フラッシュメモリ等の不揮発性の半導体メモリであり、撮像部３１２が撮像した画像（画像データ）や、表示部３１３に表示する画面のデータなどを記憶する。
【０１０３】
第１通信部３１５は、ネットワーク３０１に接続されている他の機器（管理サーバ３４０等）と通信（例えば無線通信）する。第２通信部３１６は、例えばＷｉＦｉ（Wireless Fidelity）、Ｂｌｕｅｔｏｏｔｈ（登録商標）、ＲＦＩＤ（Radio Frequency Identification）、ＴｒａｎｓｆｅｒＪｅｔ（登録商標）などの近接通信を用いて第２装着装置３２０および温湿度計３３０と通信する。なお、第２通信部３１６は、人体を介した人体通信などを用いて第２装着装置３２０と通信してもよい。
【０１０４】
位置検出部３１７は、例えば、ＧＰＳ（Global Positioning System）モジュールを含み、第１装着装置３１０の位置（例えば緯度及び経度）を検出し、制御部３１１に出力する。
【０１０５】
マイク３１８は、フレーム４１０に設けられ、ユーザの周囲の音声及びユーザが発した音声を収集する音声収集装置である。
【０１０６】
スピーカ３１９は、例えば、フレーム４１０に設けられ、制御部３１１の制御の下、音声を出力する音声出力装置である。なお、スピーカ３１９としては、イヤホンやヘッドホンのほか、指向性があり、主に第１装着装置３１０を装着するユーザの耳に向けて音声情報を提供することが可能なスピーカなどを採用することができる。
【０１０７】
制御部３１１は、第１装着装置３１０全体を統括的に制御する。制御部３１１は、ＣＰＵ（Central Processing Unit）、ＲＡＭ（Random Access Memory）、ＲＯＭ（Read Only Memory）等を備えている。制御部３１１が実行する処理の詳細については後述する。
【０１０８】
（第２装着装置３２０）
第２装着装置３２０は、ユーザが装着可能な電子機器であり、例えば図１８（ｂ）に示すように、衣服などに設けられている。ただし、これに限らず、第２装着装置３２０は、腕時計型端末，リストバンド型端末などであってもよい。なお、第２装着装置３２０を衣服に設ける場合にはユーザの肌に接する衣服（肌着、下着、ファンデーションなど）であって、生体情報取得部３２２がユーザの肌に接する位置に設けることが好ましい。更に、第２装着装置３２０に着脱機能を設けて、衣服から着脱可能としてもよい。
【０１０９】
第２装着装置３２０は、図１７に示すように、生体情報取得部３２２、通信部３２３、記憶部３２４、制御部３２１等を備える。
【０１１０】
生体情報取得部３２２は、ユーザの生体情報を取得するものであり、例えば、体温計、心拍数センサ、脈拍センサ、発汗量センサなどを含んでいる。
【０１１１】
通信部３２３は、第１装着装置３１０の第２通信部３１６との間で近接通信する。
【０１１２】
記憶部３２４は、例えば、フラッシュメモリ等の不揮発性の半導体メモリであり、生体情報取得部３２２が取得した生体情報などを記憶する。
【０１１３】
制御部３２１は、ＣＰＵ、ＲＡＭ、ＲＯＭ等を備え、第２装着装置３２０全体を統括的に制御する。制御部３２１が実行する処理の詳細については後述する。
【０１１４】
（温湿度計３３０）
温湿度計３３０は、ユーザの自宅やオフィスなどに設置された電子機器である。図１７に示すように、温湿度計３３０は、温度取得部３３２、湿度取得部３３３、通信部３３４、記憶部３３５、制御部３３１等を備える。
【０１１５】
温度取得部３３２は、設置された場所の温度を取得する。湿度取得部３３３は、温湿度計３３０が設置された場所の湿度を取得する。
【０１１６】
通信部３３４は、第１装着装置３１０の第２通信部３１６と近接通信する。
【０１１７】
記憶部３３５は、例えば、フラッシュメモリ等の不揮発性の半導体メモリであり、温度取得部３３２が取得した温度および湿度取得部３３３が取得した湿度などを記憶する。
【０１１８】
制御部３３１は、ＣＰＵ、ＲＡＭ、ＲＯＭ等を備え、温湿度計３３０全体を統括的に制御する。制御部３３１が実行する処理の詳細については後述する。
【０１１９】
（管理サーバ３４０）
管理サーバ３４０は、例えば通信販売業者のデータセンタなどに設置されているコンピュータであり、第１装着装置３１０から入力される情報を解析し、解析結果に基づいて各種処理を実行する。
【０１２０】
管理サーバ３４０は、図１７に示すように、制御部３４１と、通信部３４２と、記憶部３４３とを備える。
【０１２１】
制御部３４１は、ＣＰＵ、ＲＡＭ、ＲＯＭ等を備え、管理サーバ３４０全体を統括的に制御する。制御部３４１が実行する処理の詳細については後述する。
【０１２２】
通信部３４２は、図１６のネットワーク３０１を介して第１装着装置３１０と通信し、かつネットワーク３０２を介して薬局サーバ３５０および病院サーバ３６０と通信するものである。通信部３４２は、ネットワーク３０１，３０２に有線接続されてもよいし、無線接続されてもよい。
【０１２３】
記憶部３４３は、例えばフラッシュメモリ等の不揮発性の半導体メモリや、ハードディスクドライブ等であり、ユーザ情報データテーブルや、薬データテーブルなど（図２２（ａ）および図２２（ｂ）参照）が格納されている。
【０１２４】
ユーザ情報データテーブルは、図２２（ａ）に示すように、ユーザの情報（生体情報、位置の履歴、音声データ、画像データ、温度・湿度等）を格納する。音声データは例えばｍｐ３形式ファイル、画像データはＪＰＥＧ（Joint Photographic Experts Group）形式の静止画ファイル、またはＭＰＥＧ（Moving Picture Experts Group）形式の動画ファイルとして保存される。なお、ユーザ情報データテーブルには図２２（ａ）に示したもの以外の情報（ユーザの年齢、性別、持病など）が格納されてもよい。
【０１２５】
薬データテーブルには、図２２（ｂ）に示すように、ユーザの薬に関する情報（過去に服用した薬、現在服用している薬、薬の服用回数、処方された量等）が格納されている。
【０１２６】
なお、図２２（ａ）および図２２（ｂ）においては、一人のユーザ（ユーザＡ）に関するデータテーブルを示しているが、記憶部３４３は複数のユーザに関するデータテーブルを記憶しているものとする。
【０１２７】
（薬局サーバ３５０）
薬局サーバ３５０は、例えば薬局に設置されているコンピュータであり、管理サーバ３４０から入力される情報（薬の情報）に基づいて、薬を手配する処理を実行する。なお、管理サーバ３４０を所有する通信販売業者と、薬局サーバ３５０を所有する薬局とは、例えば同一の業者であってもよい。
【０１２８】
薬局サーバ３５０は、図１７に示すように、制御部３５１と、通信部３５２と、記憶部３５３とを備える。
【０１２９】
制御部３５１は、ＣＰＵ、ＲＡＭ、ＲＯＭ等を備え、薬局サーバ３５０全体を統括的に制御する。通信部３５２は、ネットワーク３０２を介して、管理サーバ３４０と通信する。通信部３５２は、ネットワーク３０１，３０２に有線接続されてもよいし、無線接続されてもよい。
【０１３０】
記憶部３５３は、例えばフラッシュメモリ等の不揮発性の半導体メモリや、ハードディスクドライブ等である。記憶部３５３は、薬局においてユーザに処方された薬の情報を保持する。なお、記憶部３５３には、管理サーバ３４０の記憶部３４３が記憶する薬データテーブルと同様の薬データテーブルが格納されてもよい。
【０１３１】
（病院サーバ３６０）
病院サーバ３６０は、病院に設置されているコンピュータであり、管理サーバ３４０を介して入力される情報に基づいて所定の処理を実行する。
【０１３２】
病院サーバ３６０は、図１７に示すように、制御部３６１と、通信部３６２と、記憶部３６３とを備える。
【０１３３】
制御部３６１は、ＣＰＵ、ＲＡＭ、ＲＯＭ等を備え、病院サーバ３６０全体を統括的に制御する。通信部３６２は、ネットワーク３０２を介して、管理サーバ３４０と通信する。通信部３６２は、ネットワーク３０１，３０２に有線接続されてもよいし、無線接続されてもよい。記憶部３６３は、例えばフラッシュメモリ等の不揮発性の半導体メモリや、ハードディスクドライブ等であり、例えばユーザの診察に関する情報（電子カルテ情報であり、ユーザの氏名、症状、予約の日時、担当医等を含む）を格納する。
【０１３４】
次に、電子機器システム４００の処理について、図１９〜図２１のフローチャートに沿って、その他図面を適宜参照しつつ詳細に説明する。
【０１３５】
（第２装着装置３２０の処理）
図１９（ａ）には第２装着装置３２０の制御部３２１が実行する処理がフローチャートにて示されている。なお、図１９（ａ）の処理は、第２装着装置３２０の不図示の電源がオンされたタイミング、制御部３２１に対して不図示の入力部から処理開始の指示が入力されたタイミング、第２装着装置３２０がユーザによって装着されたことを不図示の検出部が検出したタイミング等の所定のタイミングから開始されるものとする。
【０１３６】
図１９（ａ）の処理においては、まず、ステップＳ３１０において、制御部３２１は、生体情報取得部３２２を用いて、ユーザの生体情報を取得する。次いで、ステップＳ３１２において、制御部３２１は、生体情報を、取得した時刻（不図示の時刻取得部より取得）とともに記憶部３２４に記憶する。
【０１３７】
次いで、ステップＳ３１４において、制御部３２１は、所定時間が経過したか否かを判断する。ここで、所定時間とは、例えば１時間、１日（２４時間）などである。ステップＳ３１４の判断が否定された場合、制御部３２１はステップＳ３１０に戻り、ステップＳ３１４の判断が肯定されるまで、ステップＳ３１０、Ｓ３１２の処理を繰り返す。なお、ステップＳ３１０、Ｓ３１２の処理は、例えば毎秒または毎分など、定期的に実行される。一方、ステップＳ３１４の判断が肯定された場合には、制御部３２１はステップＳ３１６に移行する。
【０１３８】
ステップＳ３１６に移行すると、制御部３２１は、通信部３２３を介して、ユーザの生体情報を第１装着装置３１０に送信する。なお、ステップＳ３１６の後、図１９（ａ）の処理は終了するが、処理の停止条件を満足していない場合（例えば、ユーザが第２装着装置３２０を装着し続けている場合）には、制御部３２１は、再度、図１９（ａ）の処理を開始する。
【０１３９】
このように、第２装着装置３２０では、定期的にユーザの生体情報を収集し、所定時間経過する度に、収集した生体情報を第１装着装置３１０に送信するようになっている。
【０１４０】
（温湿度計３３０の処理）
図１９（ｂ）には温湿度計３３０の制御部３３１が実行する処理がフローチャートにて示されている。なお、図１９（ｂ）の処理は、例えば制御部３３１に対して不図示の入力部から処理開始の指示が入力されたタイミングや、第１装着装置３１０からの指示等の所定のタイミングから開始されるものとする。本実施形態において、制御部３３１は、第２装着装置３２０がユーザの生体情報を取得するタイミングで図１９（ｂ）の処理を開始するものとする。
【０１４１】
図１９（ｂ）の処理においては、まず、ステップＳ３２０において、制御部３３１は、温度取得部３３２を用いて、温度（例えばユーザの自宅の気温）を取得する。次いで、ステップＳ３２２において、制御部３３１は、湿度取得部３３３を用いて、湿度（例えばユーザの自宅の湿度）を取得する。なお、ステップＳ３２０、Ｓ３２２の処理は同時に行われてもよいし、逆順に行われてもよい。
【０１４２】
次いで、ステップＳ３２４において、制御部３３１は、温度および湿度を、取得した時刻とともに記憶部３３５に記憶する。
【０１４３】
次いで、ステップＳ３２６において、制御部３３１は、所定時間が経過したか否かを判断する。ここで、所定時間とは、例えば１時間、１日（２４時間）などである。ステップＳ３２６の判断が否定された場合、制御部３３１はステップＳ３２０に戻り、ステップＳ３２６の判断が肯定されるまで、ステップＳ３２０〜Ｓ３２４の処理を繰り返す。なお、ステップＳ３２０〜Ｓ３２４の処理は、例えば毎秒または毎分など、定期的に実行される。一方、ステップＳ３２６の判断が肯定された場合には、制御部３３１はステップＳ３２８に移行する。
【０１４４】
ステップＳ３２８に移行すると、制御部３３１は、通信部３３４を介して、温度および湿度を第１装着装置３１０に送信する。なお、ステップＳ３２８の後、図１９（ｂ）の処理は終了するが、処理の停止条件を満足していない場合（例えば、ユーザが温湿度計３３０の電源をオフにしていない場合）には、制御部３３１は、再度、図１９（ｂ）の処理を開始する。
【０１４５】
このように、温湿度計３３０では、定期的に温度、湿度の情報を収集し、所定時間経過する度に、収集した情報を第１装着装置３１０に送信するようになっている。なお、制御部３３１は、人感センサ等を用いて温湿度計３３０の近傍にユーザが存在することを検出できる間に、温度、湿度の情報を収集してもよい。
【０１４６】
（第１装着装置３１０のユーザ情報取得処理）
図１９（ｃ）には第１装着装置３１０の制御部３１１が実行するユーザ情報取得処理がフローチャートにて示されている。なお、図１９（ｃ）の処理は、第１装着装置３１０の不図示の電源がオンされたタイミング、制御部３１１に対して不図示の入力部から処理開始の指示が入力されたタイミング、第２装着装置３２０がユーザによって装着されたことを不図示の検出部が検出したタイミング、図１９（ａ）と図１９（ｂ）との少なくとも１つのフローチャートが実行されているタイミング等の所定のタイミングから開始されるものとする。
【０１４７】
図１９（ｃ）の処理では、まず、ステップＳ３３０において、制御部３１１は、撮像部３１２を用いて、ユーザの視線方向の画像を撮像する。例えば、図１８（ｃ）に示すようにユーザが怪我をした場合には、ユーザが指を見る可能性が高いことから、撮像部３１２は、怪我をした部分の画像を撮像することになる。また、ユーザが薬を服用した場合には、撮像部３１２は、図１８（ｄ）に示すような薬の容器や包装の画像を撮像することになる。この場合、薬の容器や包装や薬にＩＣチップを設けて、このＩＣチップと第２通信部３１６との通信をトリガーとして制御部３１１が撮像部３１２に撮像を行わせるようにしてもよい。なお、このＩＣチップと第２装着装置３２０の通信部３２３とが通信を行うようにしてもよい。更に、撮像部３１２は、例えば、ユーザの自宅内、自宅周辺、訪れた場所などを撮像する。
【０１４８】
次いで、ステップＳ３３２において、制御部３１１は、マイク３１８を用いて、ユーザの発する音声およびユーザ周辺の音声を取得する。ユーザの発する音声とは、例えばユーザの声、くしゃみ、咳、いびき、呼吸音などである。ユーザ周辺の音声とは、例えばユーザ以外の人の声、自動車や工事現場の発する音、動物の鳴き声などである。
【０１４９】
次いで、ステップＳ３３３において、制御部３１１は、位置検出部３１７を用いて、第１装着装置３１０の位置（緯度、経度）、すなわちユーザの位置を取得する。
【０１５０】
次いで、ステップＳ３３４において、制御部３１１は、加速度センサ３０９を用いて、第１装着装置３１０の加速度を取得する。なお、ステップＳ３３４の後、図１９（ｃ）の処理は終了するが、処理の停止条件を満足していない場合（例えば、ユーザが第１装着装置３１０の装着を解除していない場合）には、制御部３１１は、再度、図１９（ｃ）の処理を開始する。これにより、図１９（ｃ）の処理は、例えば毎秒、毎分など定期的に実行されるようになっている。
【０１５１】
なお、ステップＳ３３０からＳ３３４の処理は、同時に実行されてもよいし、処理順が図１９（ｃ）とは異なっていてもよい。
【０１５２】
（第１装着装置３１０のユーザ情報送信処理）
図１９（ｄ）には第１装着装置３１０の制御部３１１が実行するユーザ情報送信処理がフローチャートにて示されている。なお、図１９（ｄ）の処理は、通常、図１９（ｃ）の処理と同時並行的に実行される処理であるが、図１９（ｃ）の処理が行われていない場合に、実行されてもよい。なお、図１９（ｄ）の処理の前提として、図１９（ａ）〜図１９（ｃ）の少なくとも１つの処理が同時並行的に実行されているものとする。
【０１５３】
図１９（ｄ）の処理においては、まず、ステップＳ３３６において、制御部３１１は、第２通信部３１６を介して、第２装着装置３２０から送信される生体情報や、温湿度計３３０から送信される温度、湿度の情報を受信するまで待機する。すなわち、図１９（ａ）のステップＳ３１６又は図１９（ｂ）のステップＳ３２８の処理が実行されたタイミングで、制御部３１１はステップＳ３３８に移行する。
【０１５４】
ステップＳ３３８に移行すると、制御部３１１は、生体情報、温度、湿度の情報の他、図１９（ｃ）の処理で収集される画像データ、音声データ、位置、加速度などの情報を含むユーザの情報を、第１通信部３１５を介して、管理サーバ３４０に送信する。例えば、ステップＳ３１６、Ｓ３２８が１日に１回定時に行われる場合には、ステップＳ３３８も当該定時に実行される。ステップＳ３３８の後は、図１９（ｄ）の全処理を終了するが、処理の停止条件を満足していない場合（例えば、ユーザが第１装着装置３１０の電源をオフしていない場合）には、制御部３１１は、再度、図１９（ｄ）の処理を開始する。これにより、図１９（ｄ）の処理は、例えば毎秒、毎分など定期的に実行されるようになっている。
【０１５５】
（管理サーバ３４０の処理）
次に、図２０、図２１のフローチャートに沿って、管理サーバ３４０の制御部３４１の処理について詳細に説明する。本処理の前提として、少なくとも第１装着装置３１０により図１９（ｄ）の処理が実行されているものとする。
【０１５６】
図２０の処理では、まず、ステップＳ３４０において、制御部３４１は、第１装着装置３１０から送信されるユーザの情報を受信するまで待機する。この場合、図１９（ｄ）のステップＳ３３８の処理が実行されると、制御部３４１はステップＳ３４２に移行する。
【０１５７】
ステップＳ３４２に移行すると、制御部３４１は、ユーザの情報を記憶部３４３のユーザ情報データテーブルに記憶し、ユーザの情報を解析する。なお、ユーザの年齢、性別などは、例えばユーザが通信販売業者と契約する際に、制御部３４１に登録されているものとする。なお、制御部３４１は、例えば、体温や心拍数などの変化が、予め用意されている病気ごとのテンプレートと一致している場合に、ユーザが病気であると判定したり、傷の画像がユーザ情報データテーブルに格納された場合に、ユーザが怪我をしたと判定してもよい。このとき、制御部３４１は、傷と同時に撮像されている傷以外の画像に基づいて、傷の長さや深さを推定してもよい。また、制御部３４１は、例えば、体温が高く、音声データに咳やくしゃみの音が含まれている場合に、ユーザが病気である（風邪をひいている）と判定してもよい。また、制御部３４１は、ユーザが高熱であり、かつ所定時間より前の画像データに人の多く集まっている場所が含まれている場合、感染症（例えばインフルエンザ）に感染したものと判定してもよい。また、制御部３４１は、ユーザの自宅の温度が低い（１０℃前後）、湿度が低い（３０％以下など）の場合、ユーザが感染症にかかりやすい状況にあると判定してもよい。また、制御部３４１は、音声データとして、ユーザ周辺の音声（動物の鳴き声、工事現場の音、自動車の音など）を検出できた場合には、当該ユーザの周辺の音声から、病名等を特定してもよい。例えば、制御部３４１は、音声データから、ユーザがペットを飼っていることや動物に接触したこと等を判断できた場合には、動物が媒介する病気に感染している可能性があると判断してもよい。また、制御部３４１は、ユーザの咳とともに、工事現場の音や自動車の音が多く検出される場合に、粉塵によりぜんそくなど呼吸器系の病気を患っている可能性があると判断してもよい。更に、制御部３４１は、位置検出部３１７の出力に基づくユーザの行動エリアと、記憶部３４３に記憶されている地図情報とを比較して、ユーザの行動エリアに化学工場や動物園などのユーザのアレルギーを引き起こす施設があるかどうかを認識して、上述の判定を行うようにしてもよい。上記のような判定（解析）は、いわゆるビッグデータ解析であり、例えば、ユーザの年代、性別、病歴、生体情報、位置（居住地や職場の位置等）、行動履歴、環境情報（温度、湿度等）、過去に服用した薬の履歴などに基づいており、さらに当該ユーザの情報と他のユーザの情報との比較、過去の症例、インターネットや学術論文に公開された情報などにも基づくものである。これにより、例えば、ユーザの年代に基づくことで、子供に対して生活習慣病などの大人がかかりやすい病気の可能性が高いと判断することがなくなり、大人に対してはしかなど子供がかかりやすい病気の可能性が高いと判断することがなくなるので、ユーザの病気を適切に判断することが可能となる。また、例えば、ユーザの位置、画像などから得られるユーザの行動履歴に基づいて病気を判断することで、伝染病や感染症に感染する危険のある地域やアレルゲン（花粉などのアレルギーの原因物質）が発生する地域に行ったか否か等に基づき、ユーザの病気を適切に判断することができる。また、例えば、ユーザの性別に基づくことで、男性に対して女性がかかりやすい病気の可能性が高いと判断したり、女性に対して男性がかかりやすい病気の可能性が高いと判断することがなくなる。なお、制御部３４１は、ユーザの病気や怪我の情報を記憶部３４３に記憶する。
【０１５８】
次いで、ステップＳ３４４において、制御部３４１は、ユーザの情報の解析に基づき、ユーザに病気や怪我があるか否かを判断する。このステップＳ３４４の判断が否定された場合には、制御部３４１は、図２０の処理を終了する。一方、ステップＳ３４４の判断が肯定された場合、制御部３４１は、ステップＳ３４６に移行する。
【０１５９】
ステップＳ３４６に移行した場合、制御部３４１は、医者の診察が必要であるか否かを判断する。例えば３８℃以上などの高熱が数日以上続いているなど、病気や怪我が重篤な場合は、制御部３４１は診察が必要であると判断する。なお、制御部３４１は、医者の診察が必要か否かを、管理サーバ３４０の記憶部３４３に記憶されている判断基準に基づいて判断するようにすればよい。ステップＳ３４６の判断が否定された場合、制御部３４１は、ステップＳ３５０に移行する。一方、ステップＳ３４６の判断が肯定された場合、制御部３４１は、ステップＳ３４８に移行する。
【０１６０】
ステップＳ３４８に移行すると、制御部３４１は、通信部３４２を介して、第１装着装置３１０に、診察を推奨する連絡を送信する。このとき制御部３４１は、第１装着装置３１０に、「病院で診察を受けてください」などのメッセージとともに、予約のための情報を送信するものとする。予約のための情報は、例えばユーザの位置から所定範囲に存在する病院の予約用サイトのＵＲＬ、メールアドレス、電話番号、診察時間などの情報である。ユーザは、第１装着装置３１０が受信した情報を用いて病院に診察の予約をしたり、問い合わせをすることができる。なお、ステップＳ３４８の後、制御部３４１は図２０の処理を終了する。なお、ユーザが診察を受け、医師の処方箋に基づいて調剤薬局において薬が処方された場合には、当該薬の情報が、病院サーバ３６０等から管理サーバ３４０に送信され、記憶部３４３の薬データテーブルに格納される。なお、第１装着装置３１０の撮像部３１２が、図１８（ｅ）に示す薬の処方履歴を記載した書類（お薬手帳など）の画像を撮像した場合には、当該画像から得られる薬の情報を薬データテーブルに格納するようにしてもよい。
【０１６１】
一方、ステップＳ３５０に移行すると、制御部３４１は、薬が必要であるか否かを判断する。制御部３４１は、解析の結果、例えばユーザの怪我や病気が軽度のもの（放置してもすぐに完治する程度のもの）であった場合には、薬は不要と判断する。一方、ユーザの怪我や病気の完治のためには放置すべきではないと認識した場合、薬が必要と判断する。なお、例えば、ユーザ用システム３９０において得られるデータから、ユーザが女性であり、妊娠していることが判明した場合には、薬は不要と判断してもよい。ステップＳ３５０の判断が否定された場合、図２０の処理は終了する。一方、ステップＳ３５０の判断が肯定された場合、制御部３４１は、ステップＳ３５２に移行する。
【０１６２】
ステップＳ３５２に移行した場合、制御部３４１は、薬の情報を決定する。薬の情報とは、薬の種類、量、服用方法などである。なお、制御部３４１は、薬の効能等の情報を格納した薬の効能データベースを参照して、ユーザはどのような薬をどの程度服用すべきかを決定する。制御部３４１が決定した薬の情報は、記憶部３４３の薬データテーブル（図２２（ｂ）参照）に格納される。なお、制御部３４１は、ユーザが過去に服用した薬の効果を管理サーバ３４０が保持している場合には、過去に服用した薬で効果が大きかった薬を今回服用すべき薬として決定してもよい。これにより、ユーザにとって効果の大きい薬を処方する薬として決定することができる。
【０１６３】
次いで、ステップＳ３５４では、制御部３４１は、通信部３４２を介して、薬の情報を薬局サーバ３５０に送信する。薬局では、薬局サーバ３５０の受信した薬の情報に基づいて、薬を用意し、ユーザに配送する。なお、制御部３４１は、薬の情報を薬局サーバ３５０とともに第１装着装置３１０に送信してもよい。これにより、第１装着装置３１０の表示部３１３に薬の情報を表示することができるので、ユーザは配送されてくる薬を認識することができる。なお、ユーザは、薬の情報が表示された段階で、第１装着装置３１０の操作部３０８を用いて、薬の配送を拒否したり、薬の配送が必要か否かを選択してもよい。
【０１６４】
次いで、制御部３４１は、ユーザに配送された薬の効果を確認する処理（ステップＳ３５６のサブルーチン）に移行する。ステップＳ３５６においては、具体的には、図２１のフローチャートに沿った処理が実行される。なお、図２１の処理が開始される前に、制御部３４１は、薬局サーバ３５０に対し、薬局がユーザに配送した薬の使用期限の情報を送信するよう要求し、該情報を取得した後、薬データベースに格納するものとする。
【０１６５】
図２１の処理では、まず、ステップＳ３７０において、制御部３４１は、図２０のステップＳ３４０と同様、第１装着装置３１０から送信されるユーザの情報を受信するまで待機する。この場合、図１９（ｄ）のステップＳ３３８の処理が実行されたタイミングで、制御部３４１はステップＳ３７２に移行する。
【０１６６】
ステップＳ３７２に移行すると、制御部３４１は、ユーザの情報を記憶部３４３のユーザ情報データテーブルに記憶し、ユーザの情報を解析する。例えば、制御部３４１は、ユーザの体温の変化や画像データ、咳やくしゃみなどの音声データ等の変化の有無などに基づいて、病気が完治したか否かを判断する。また、制御部３４１は、画像データや、薬の容器や包装や薬にＩＣチップと第１装着装置３１０（または第２装着装置３２０）との通信履歴に基づいて、薬を用法・用量に従って服用しているか否かを判断する。また、制御部３４１は、薬を用法・用量に従って服用しているにもかかわらず、病状が変化しない場合には、薬を変更する必要があるか否かを判断する。また、制御部３４１は、ユーザによる薬の服用回数に基づいて、薬の残量を確認し、処方した薬が全てなくなりそうか否かを判断する。その他、制御部３４１は、ユーザの情報に基づいて、薬の効果を判断したり、薬を変更する必要があるか、薬を新たに（追加で）配送する必要があるかを判断する。なお、制御部３４１は、解析の結果得られた、薬の残量の情報を用いて、薬データテーブルを更新する。
【０１６７】
次いで、ステップＳ３７４では、制御部３４１は、ユーザの情報の解析結果に基づき、ユーザの病気や怪我が完治したか否かを判断する。このステップＳ３７４の判断が肯定された場合には、図２１の効果を確認する処理を終了するとともに、図２０の全処理を終了する。なお、ステップＳ３７４の判断が肯定された場合には、制御部３４１は、第１装着装置３１０を介してユーザに対し薬の服用を中止するよう報知するようにしてもよい。また、ユーザが薬の服用を中止した場合には、制御部３４１は、ユーザの手元に残っている薬の量を特定し、特定した薬の量を薬局サーバ３５０に通知してもよい。薬局では、通知された情報に基づいて、薬を回収して再利用するなどすることができる。一方、ステップＳ３７４の判断が否定された場合には、制御部３４１はステップＳ３７６に移行する。
【０１６８】
ステップＳ３７６に移行した場合、制御部３４１は、薬を変更する必要があるか否か、あるいは処方した薬が全てなくなりそうか否かを判断する。このステップＳ３７６の判断が否定された場合には、制御部３４１は、ステップＳ３７０に戻る。一方、ステップＳ３７６の判断が肯定された場合には、制御部３４１は、ステップＳ３７８に移行する。
【０１６９】
ステップＳ３７８に移行した場合、制御部３４１は、薬の情報を決定する。例えば、薬を変更する必要がある場合には、現在の薬と同一の効能で、効果がより大きい薬を次の薬の情報として決定する。あるいは、薬によりユーザに悪影響（めまい、発作、異常行動等）があった場合には、制御部３４１は、そのような副作用のない薬を次の薬として決定する。なお、ユーザへの悪影響（副作用）があったか否かは、第１装着装置３１０の加速度センサ３０９、位置検出部３１７、マイク３１８、第２装着装置３２０の生体情報取得部３２２などから検出することが可能である。例えばマイク３１８において取得される音声データからユーザが運転中と判断できた場合において、加速度や位置が急に変化した場合には、ユーザが意識を失い、自動車が急加速していた可能性があると判断することができる。また、位置は大きく変化せず、加速度が鉛直方向下向きに急に変化している場合、ユーザはめまいを起こしていた可能性があると判断することができる。また、薬が全てなくなりそうであるが、薬を変更する必要がない場合には、制御部３４１は、現在の薬と同一の薬を次の薬の情報として決定する。なお、制御部３４１は、ユーザの状態に応じて用法や用量を変更してもよい。
【０１７０】
次いで、ステップＳ３８０では、制御部３４１は、通信部３４２を介して、薬の情報を薬局サーバ３５０に送信する。なお、このとき制御部３４１は、薬の情報を薬局サーバ３５０とともに第１装着装置３１０に送信してもよい。これにより、第１装着装置３１０の表示部３１３に薬の情報を表示することができるので、ユーザは配送されてくる薬を認識することができる。なお、ユーザは、薬の情報が表示された段階で、第１装着装置３１０の操作部３０８を用いて、薬の配送を拒否したり、薬の配送が必要か否かを選択してもよい。ステップＳ３８０の後は、制御部３４１はステップＳ３７０に戻る。
【０１７１】
ステップＳ３７０に戻った後は、制御部３４１は、病気や怪我が完治するまで（ステップＳ３７４が肯定されるまで）、上記処理を繰り返す。
【０１７２】
なお、薬局サーバ３５０の制御部３５１は、各ユーザの薬の使用量や各ユーザが保有する薬の使用期限に応じて、ストックする薬を調節してもよい。例えば、多くのユーザがインフルエンザに感染した場合、抗生物質などインフルエンザの治療のための薬を多くストックする。また、複数の薬局サーバ３５０のデータを製薬会社が収集することとすれば、製薬会社は生産調整（薬の大量生産、または生産量の減少など）を適切に行うことが可能となる。
【０１７３】
以上、詳細に説明したように、本第３の実施形態によれば、管理サーバ３４０の制御部３４１は、薬を処方されたユーザが装着する第１装着装置３１０及び第２装着装置３２０、ならびにユーザの近傍にある温湿度計３３０が検出したユーザの情報に基づいて薬の効果を判断する（Ｓ３７２、Ｓ３７４）。これにより、第１装着装置３１０、第２装着装置３２０、温湿度計３３０でモニタリングされたユーザに関する種々情報に基づいて、ユーザに薬の効果が表れているかを精度よく判断することが可能となる。また、ユーザの情報はユーザ情報データテーブル（図２２（ａ））に蓄積されるため、制御部３４１は、ユーザに薬を処方した後にも、ユーザの情報を常時確認し、薬を継続的に提供すべきか、薬を変更すべきか等について判断することができる。このため、ユーザには、必要な薬が適切なタイミングで提供されるようになり、管理サーバ３４０を所有する通信販売業者は、薬の継続的な販売機会を確保することができる。
【０１７４】
また、本第３の実施形態においては、制御部３４１はユーザに処方された薬を変更するか否かを判断するので、ユーザの病気の状態や怪我の状態の変化を考慮して適切な薬をユーザに処方することができる。
【０１７５】
また、本第３の実施形態において、制御部３４１は、第１装着装置３１０が検出したユーザの音声データを利用するので、音声データからユーザの健康状態や、薬の効果を適切に判断することが可能となる。
【０１７６】
また、本第３の実施形態において、制御部３４１は、薬の服用前後に第１装着装置３１０、第２装着装置３２０が検出したユーザの情報を利用するので、薬の効果を適切に判断することができる。
【０１７７】
また、本第３の実施形態において、制御部３４１は、薬局の薬局サーバ３５０と通信し、判断結果を薬局サーバ３５０に送信する。これにより、薬局は、薬が必要なユーザを特定できるので、ユーザに対して必要な薬を配送することができる。これにより、ユーザの使い勝手が向上するとともに、薬局による薬の販売を補助することができる。
【０１７８】
また、本第３の実施形態においては、管理サーバ３４０の制御部３４１は、ユーザに病院での診察の予約を促すので、ユーザは診察が必要なことを速やかに知ることができる。なお、病院での診察後、病院サーバ３６０から薬局サーバ３５０に処方薬の情報を提供し、薬局から薬をユーザに配送してもよい。これにより、ユーザは薬局に行かず、自宅で薬を受け取ることができる。
【０１７９】
また、本第３の実施形態においては、制御部３４１は、ユーザの年代（年齢、世代など）、性別、ユーザの位置（居住、勤務地域など）の少なくとも一つに基づいて、薬の判断を行う。これにより、制御部３４１は、ユーザと同世代、同地域の人のデータに基づき、薬についての判断をすることができる。特に、図２１のフローチャートのステップＳ３７６で薬の変更を行うかどうかを制御部３４１が判断するときにユーザの同世代、同地域やアレルギーや、病歴などを参照することは有効である。
【０１８０】
また、本第３の実施形態においては、第１装着装置３１０はユーザの動き（加速度）と、ユーザの位置を検出し、制御部３４１は動きと位置に基づき薬の判断を行う。これにより、例えば薬を服用した後に加速度や位置の急な変化があった場合に、薬によりユーザに異常が発生したため、薬を変更すべきと判断することができる。なお、制御部３４１は、ユーザに異常が発生したと判断した場合、例えば第１装着装置３１０などの機器に連絡をすることで、ユーザが無事であるか否かを確認してもよい。
【０１８１】
なお、上記第３の実施形態では、制御部３４１が蓄積したデータを製薬会社に提供することで、製薬会社は薬の効果を確かめる情報を得ることが可能となる。また、薬が新薬の場合には、製薬会社は、制御部３４１が蓄積したデータを治験のデータとして利用することができる。例えば、製薬会社では、制御部３４１が蓄積したデータを利用して、薬の用法、用量を定めることができる。
【０１８２】
なお、上記第３の実施形態では、制御部３４１は、ユーザの病気や怪我の度合い、環境等に応じて、第１装着装置３１０にユーザの健康管理に関する情報を送信してもよい。これにより、例えば「安静にしてください」、「傷口を濡らさないでください」、「家を暖かくしてください」などのメッセージが第１装着装置３１０の表示部３１３に表示されるので、ユーザは、病気や怪我を治すために留意すべきことを知ることができる。
【０１８３】
なお、上記第３の実施形態において、管理サーバ３４０を使用する通信販売業者は、契約を交わしたユーザに対し、薬の割引などをしてもよい。これにより多くのユーザを集め、情報を多く蓄積し、解析の精度を高めることができる。
【０１８４】
なお、上記第３の実施形態において、第１装着装置３１０として、眼鏡型端末に代えて、例えばコンタクトレンズ型端末を採用してもよい。コンタクトレンズ型端末を採用する場合には、涙の成分から血糖値などを検出してもよい。また、住宅やオフィスなどに、温湿度計３３０とともに例えばカメラ、マイクなどの据え置き型の電子機器を設置し、ユーザ周辺の情報（画像、音声など）を検出してもよい。
【０１８５】
なお、上記第３の実施形態において、第２装着装置３２０および温湿度計３３０は、第１装着装置３１０を介さずに、管理サーバ３４０と直接通信してもよい。また、管理サーバ３４０が行った図２０、図２１のフローチャートの処理の一部またはすべてを薬局サーバ３５０や病院サーバ３６０に行わせるようにしてもよい。
【０１８６】
《第４の実施形態》
以下、第４の実施形態に係る電子機器システムについて、図２３〜図２５に基づいて、詳細に説明する。図２３は、第４の実施形態に係る電子機器システム６００の構成を模式的に示す図である。
【０１８７】
図２３に示すように、電子機器システム６００は、図１６の電子機器システム４００のユーザ用システム３９０に代えてユーザ用システム３９０ａを備え、業者サーバ３８０をさらに備える。ユーザ用システム３９０ａは、第１装着装置３１０、第２装着装置３２０、温湿度計３３０、端末装置３７０を含有する。端末装置３７０は、インターネットなどのネットワーク３０１に接続されている。業者サーバ３８０は、ネットワーク３０２に接続されている。なお、本第４の実施形態においても、ネットワーク３０１とネットワーク３０２が同一の（共通の）ネットワークであってもよい。また、本第４の実施形態では、業者サーバ３８０は、ユーザに食事（調理済みの料理・弁当など、調理前の食材など）を配送する業者に設けられるものとする。
【０１８８】
第１装着装置３１０、第２装着装置３２０、温湿度計３３０、管理サーバ３４０は第３の実施形態と同様の構成である。
【０１８９】
管理サーバ３４０の記憶部３４３は、図２２（ａ）に示すユーザ情報データテーブル、図２２（ｂ）に示す薬データテーブルとともに、図２５（ａ）に示す食事制限データテーブル、および図２５（ｂ）に示す食事データテーブルを記憶している。食事制限データテーブルは、各ユーザの食事制限に関する情報を格納するデータテーブルである。食事制限に関する情報とは、体重の目標（ダイエットの目標）、カロリー制限、塩分・糖質の制限（一日の摂取量の上限等）、アレルゲン、食べられない食材などである。食事データテーブルは、ユーザの食事に関する情報を格納するデータテーブルである。食事に関する情報とは、ユーザに配送される食材または弁当に関する情報であり、具体的には、ユーザに配送すべき食事のカロリー、糖質、塩分、使用不可食材等の情報である。なお、図２５（ｂ）にはユーザＡについての食事データテーブルを示したが、記憶部３４３は他のユーザについての食事データテーブルも記憶するものとする。
【０１９０】
（端末装置３７０）
端末装置３７０はユーザが所有する電子機器であり、例えばＰＣ（Personnel computer）、タブレット型端末、スマートフォンなどである。ユーザは端末装置３７０の入力装置（キーボード、マウスなど）を用いて情報を入力することができる。端末装置３７０は管理サーバ３４０に情報を送信する。なお、例えば第１装着装置３１０が端末装置３７０と同等の機能を有する場合には、端末装置３７０をユーザ用システム３９０ａから省略してもよい。
【０１９１】
（業者サーバ３８０）
業者サーバ３８０は、管理サーバ３４０（図１７の管理サーバ３４０の通信部３４２）と通信する。なお、管理サーバ３４０を所有する通信販売業者と、業者サーバ３８０を所有する業者とは、同一の業者でもよいし、提携関係にあってもよい。
【０１９２】
図２４には管理サーバ３４０の制御部３４１の実行する処理がフローチャートにて示されている。なお、図２４の処理は、図２０の処理と同時並行的に行われる処理である。
【０１９３】
なお、図２４の処理の前提として、ユーザは端末装置３７０を用いて、ユーザの情報として、例えば現在の身長、体重、体重の目標（ダイエットの目標）、アレルゲンなどを管理サーバ３４０に予め送信しておくものとする。この場合、制御部３４１は、受信した情報を食事制限データテーブルに格納する。例えばユーザＡが端末装置３７０上でアレルゲンとして“そば”を入力した場合、制御部３４１は、食事制限データテーブルのユーザＡの“アレルゲン”のフィールドに“そば”を入力する。また、ユーザＡが端末装置３７０上でダイエットの目標として“６ヶ月で５ｋｇの減量”を入力した場合、制御部３４１は食事制限として摂取カロリーの上限（例えば一日１５００ｋｃａｌなど）を定め、食事制限データテーブルのユーザＡの“カロリー制限”のフィールドに格納する。このとき、制御部３４１は、第２装着装置３２０の検出する心拍数および脈拍などから、ユーザの基礎代謝量等を算出し、当該基礎代謝量等に基づいて摂取カロリーの上限を定めてもよい。また、制御部３４１は、図２２（ｂ）の薬データテーブルから、服用中の薬を把握し、当該薬とともに摂取すると人体に害のある食材を“アレルゲン”のフィールドに格納するようにしてもよい。なお、“アレルゲン”とは別のフィールド（例えば、“制限食材”など）を食事制限データテーブルに設けて、服用中の薬に関連して制限される食材の情報を格納するようにしてもよい。なお、第１装着装置３１０は、通信機能を有する体重計から体重などのデータを自動的に収集し、管理サーバ３４０に送信するものとしてもよい。この場合、制御部３４１は、収集した体重などのデータから基礎代謝量等を算出するようにしてもよい。なお、体重計から管理サーバ３４０に対して直接データを送信するようにしてもよい。
【０１９４】
図２４の処理においては、制御部３４１は、ステップＳ３９０において、食事決定タイミングが到来するまで待機する。食事決定タイミングは、例えば、朝・昼・夕の食事の数時間前であるものとする。食事決定タイミングが到来すると、制御部３４１は、ステップＳ３９２に移行する。
【０１９５】
ステップＳ３９２に移行すると、制御部３４１は、食事の情報を決定する。このとき、制御部３４１は、食事制限データテーブルに基づき、食事の情報を決定する。すなわち、アレルゲン（制限食材）を含まず、かつ食事のカロリーや塩分の上限を考慮して、今回の食事における制限（食材、カロリー、塩分、使用不可食材等）を決定する。制御部３４１は、決定した食事の情報を記憶部３４３の食事データテーブルに格納する。
【０１９６】
次いで、ステップＳ３９４では、制御部３４１は、通信部３４２を介して、食事の情報を業者サーバ３８０に送信する。業者は、業者サーバ３８０が受信し、ディスプレイ等に表示した食事の情報に基づき、食事を準備し、ユーザに配送する。なお、制御部３４１は、食事の情報を業者サーバ３８０とともに第１装着装置３１０に送信してもよい。
【０１９７】
次いで、ステップＳ３９６では、ユーザが食事を終了したか否かを判断する。例えば、制御部３４１は、ユーザによる食事の摂取の状況を示す情報（例えば、図２５（ｃ）に示すような食後の食器の画像など）を取得した場合に、ユーザが食事を終了したと判断する。なお、国際公開第２０１４／０９７６７１号に記載されているように検出部が設けられた箸やフォークを用いてユーザの食事の状況を検出し、食事が終了したか否かを判断するようにしてもよい。ユーザが食事を終了した場合（ステップＳ３９６：肯定）、制御部３４１はステップＳ３９８に移行する。
【０１９８】
ステップＳ３９８において、制御部３４１は、食事制限データテーブル及び食事データテーブルを更新する。制御部３４１は、撮像部３１２が撮像した画像等から配送した食事の摂取状況を把握し、残した食材があった場合には、図２５（ａ）の食事制限データテーブルの“食べられない食材”のフィールドに格納する。なお、制御部３４１は、同一の食材を所定回数残した場合に、“食べられない食材”のフィールドに格納してもよい。
【０１９９】
また、制御部３４１は、残した食材のカロリー、糖質、塩分を食事データテーブルの各フィールドの値から差し引く。なお、ユーザが実際に摂取したカロリーや糖質、塩分等を国際公開第２０１４／０９７６７１号の技術を用いて検出し、食事データテーブルの各値を更新するようにしてもよい。なお、ユーザが食事を食べている間に、ユーザ用システム３９０ａにおいて取得されるユーザの情報から、血圧や血糖値に異常が生じたことが判明した場合には、血圧や血糖値に異常を生じさせたおそれのある食材を特定し、当該食材を食事制限データテーブルの“食べられない食材”のフィールドに格納してもよい。また、例えば数ヶ月など長期にわたってユーザが体重の目標を達成できない場合には、カロリー制限や糖質制限をより厳しく変更するようにしてもよい。
【０２００】
以上の処理により、図２４の全処理が終了するが、制御部３４１は、継続的に図２４の処理を繰り返す。
【０２０１】
以上、詳細に説明したように、本第４の実施形態によれば、制御部３４１は、ユーザの情報や服用している薬の情報に基づいて、ユーザの食事に関する判断を行う。これにより、第３の実施形態と同様の効果のほか、ユーザの状態に対応した適切な食事に関する情報を決定することができる。例えばダイエット中のユーザに対しては、カロリーを抑えた食事とすることができるので、ユーザは、自らカロリー計算などを行うことなく、ダイエットに適した食事を摂ることができる。また、制御部３４１が、ユーザが服用している薬の情報に基づいて食事内容を判断することで、薬とともに摂取すると有害な食材をユーザに摂取させないようにすることができる。
【０２０２】
また、本第４の実施形態によれば、制御部３４１は、業者サーバ３８０と通信し、判断結果（食事の情報）を業者サーバ３８０に送信する。これにより、ユーザは買い物に行くことなく、適切な食事をとることができる。例えば高齢者、病人、足を怪我した人など移動が困難なユーザや、商店から遠い場所に居住しているユーザの利便性が特に向上する。
【０２０３】
なお、本第４の実施形態において、ユーザがレストランなどで外食した場合、または市販の弁当を食べた場合、第１装着装置３１０の撮像部３１２によりそれらの食事の画像を撮像し、管理サーバ３４０に送信してもよい。この場合、制御部３４１は、画像から当該食事に含まれる食材、カロリー、塩分などを取得し、以降の食事の情報を決定することができる。例えばユーザがレストランにおいて高カロリーな昼食を食べた場合、制御部３４１は、夕食においてカロリーを抑えた食事を提供するように決定することができる。なお、制御部３４１は、食事の画像などからユーザの摂取した食事を把握し、当該食事を提供したレストランや販売店などのサーバやウェブサイトからカロリーや塩分などの情報を取得してもよい。
【０２０４】
なお、上記第４の実施形態においては、第１装着装置３１０の撮像する食事（配送した食事以外）の画像にアレルゲンが含まれている場合や服用している薬とともに摂取すると有害な食材が含まれている場合に、制御部３４１は、第１装着装置３１０に対して警告を送信してもよい。この場合、第１装着装置３１０の制御部３１１が表示部３１３上に警告のメッセージを表示したり、スピーカ３１９から警告音を発するようにすれば、ユーザが体に影響のある食材を摂取するのを防止することが可能となる。
【０２０５】
なお、上記第４の実施形態では、図２４の処理を図２０の処理と同時並行的に行う場合について説明したが、これに限らず、図２０の処理に図２４の処理を組み込んで、一連の流れの中で図２０、図２４の処理を行うこととしてもよい。また、上記第４の実施形態では、制御部３４１は、図２０の処理を行わなくてもよい。この場合、制御部３４１は、ユーザ用システム３９０ａからユーザの情報を適宜受信し、図２４の処理に利用すればよい。
【０２０６】
なお、上記第１〜第４の実施形態における処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０２０７】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０２０８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０２０９】
上述した各実施形態は本発明の好適な実施の例であり、上述の第１〜第４の実施形態とを適宜組み合わせることができる。但し、これに限定されるものではなく、本発明の要旨を逸脱しない範囲内において種々変形実施可能である。
【符号の説明】
【０２１０】
１０  装着装置
２０  情報処理装置
２２  カロリー量ＤＢ
２４  カロリー量ＤＢ
３０  ネットワーク
１０２  撮像部
１０４  表示部
１０６  操作部
１０８  マイク
１１０  スピーカ
１１２  活動検出部
１１４  時刻検出部
１１６  位置検出部
１１８  記憶部
１２０  通信部
１２２  制御部
２０２  通信部
２０４  記憶部
２０６  制御部
３１０    第１装着装置
３２０    第２装着装置
３３０    温湿度計
３４０    管理サーバ
３４１    制御部
３４２    通信部
３５０    薬局サーバ
３６０    病院サーバ
３８０    業者サーバ
【図１】
2017102614.tif 000003
【図２】
2017102614.tif 000004
【図３】
2017102614.tif 000005
【図４】
2017102614.tif 000006
【図５】
2017102614.tif 000007
【図６】
2017102614.tif 000008
【図７】
2017102614.tif 000009
【図８】
2017102614.tif 000010
【図９】
2017102614.tif 000011
【図１０】
2017102614.tif 000012
【図１１】
2017102614.tif 000013
【図１２】
2017102614.tif 000014
【図１３】
2017102614.tif 000015
【図１４】
2017102614.tif 000016
【図１５】
2017102614.tif 000017
【図１６】
2017102614.tif 000018
【図１７】
2017102614.tif 000019
【図１８】
2017102614.tif 000020
【図１９】
2017102614.tif 000021
【図２０】
2017102614.tif 000022
【図２１】
2017102614.tif 000023
【図２２】
2017102614.tif 000024
【図２３】
2017102614.tif 000025
【図２４】
2017102614.tif 000026
【図２５】
2017102614.tif 000027